(57)【要約】ホームノードＢ（ＨＮＢ）とスタンドアロンサービングモバイルロケーションセンター（ＳＡＳ）との間でポジショニング計算アプリケーションパート（ＰＣＡＰ）メッセージをトランスポートすることに関連する特定の測位動作をサポートする際のＨＮＢゲートウェイ（ＨＮＢ  ＧＷ）の測位能力をＨＮＢが発見することを可能にするための方法およびシステムが開示される。【特許請求の範囲】
【請求項１】
ホームノードＢ（ＨＮＢ）を備えるフェムトセルトランシーバデバイスにおける方法であって、
ポジショニング計算アプリケーションパート（ＰＣＡＰ）ユーザ適応（ＰＵＡ）を介したＰＣＡＰトランスポートのサポートを要求する１つまたは複数のパラメータを備える第１のメッセージをＨＮＢゲートウェイ（ＨＮＢ−ＧＷ）に送信することと、
前記第１のメッセージに応答した前記ＨＮＢ  ＧＷからの、前記ＨＮＢ−ＧＷがＰＵＡメッセージをサポートすることが可能であるかどうかを示す第２のメッセージを受信することと
を備える、方法。
【請求項２】
前記第２のメッセージは、前記ＨＮＢ−ＧＷがＰＵＡメッセージをサポートしないことを示す、請求項１に記載の方法。
【請求項３】
前記第２のメッセージが、ＰＵＡサポートに関係するパラメータを備えない、請求項２に記載の方法。
【請求項４】
前記第１のメッセージが、ホームノードＢアプリケーションパート（ＨＮＢＡＰ）ＨＮＢ登録要求メッセージを備える、請求項１に記載の方法。
【請求項５】
前記第２のメッセージが、ＨＮＢＡＰ  ＨＮＢ登録受付メッセージを備える、請求項１に記載の方法。
【請求項６】
前記第２のメッセージは、前記ＨＮＢ−ＧＷがＰＵＡメッセージをサポートすることが可能であることを示す１つまたは複数のパラメータを備える、請求項１に記載の方法。
【請求項７】
前記ＨＮＢ−ＧＷがＰＵＡメッセージをサポートすることが可能であることを示す前記１つまたは複数のパラメータに少なくとも部分的に基づいて、前記ＨＮＢ−ＧＷにＰＵＡメッセージを送信することを始動することをさらに備える、請求項６に記載の方法。
【請求項８】
前記ＨＮＢＡＰ  ＨＮＢ登録受付メッセージが、利用可能なロケーションサーバを示す１つまたは複数のパラメータをさらに備える、請求項５に記載の方法。
【請求項９】
前記利用可能なロケーションサーバを示す前記１つまたは複数のパラメータが、サーバ識別情報と、各サーバによってサポートされる測位方法のリストとを備える、請求項８に記載の方法。
【請求項１０】
前記ＨＮＢＡＰ  ＨＮＢ登録受付メッセージが、少なくとも１つの測位動作において前記ＨＮＢによって使用されるべき、予約済み国際モバイル加入者識別情報（ＩＭＳＩ）値または予約済み国際モバイル機器識別情報（ＩＭＥＩ）値をさらに備える、請求項５に記載の方法。
【請求項１１】
前記少なくとも１つの測位動作が、ユーザ機器デバイスのためのロケーション推定値の決定を備える、請求項１０に記載の方法。
【請求項１２】
前記少なくとも１つの測位動作が、前記ＨＮＢのためのロケーション推定値の決定を備える、請求項１０に記載の方法。
【請求項１３】
前記少なくとも１つの測位動作が、測位支援データを与えることを備える、請求項１０に記載の方法。
【請求項１４】
前記予約済みＩＭＳＩまたはＩＭＥＩ値を含むＰＣＡＰ位置計算要求メッセージを前記ＨＮＢ−ＧＷに送信することをさらに備える、請求項１０に記載の方法。
【請求項１５】
前記予約済みＩＭＳＩまたはＩＭＥＩ値を含むＰＣＡＰ情報交換開始要求メッセージを前記ＨＮＢ−ＧＷに送信することをさらに備える、請求項１０に記載の方法。
【請求項１６】
前記予約済みＩＭＳＩまたはＩＭＥＩ値を含むＰＣＡＰ位置開始要求メッセージを前記ＨＮＢ−ＧＷに送信することをさらに備える、請求項１０に記載の方法。
【請求項１７】
ホームノードＢ（ＨＮＢ）デバイスとして構成されたフェムトセルトランシーバデバイスであって、
データ通信ネットワークにメッセージを送信し、そこからメッセージを受信するためのネットワークアダプタと、
ポジショニング計算アプリケーションパート（ＰＣＡＰ）ユーザ適応（ＰＵＡ）を介したＰＣＡＰトランスポートのサポートを要求する１つまたは複数のパラメータを備える第１のメッセージのＨＮＢゲートウェイ（ＨＮＢ−ＧＷ）への送信を開始することと、
前記第１のメッセージに応答した前記ＨＮＢ  ＧＷからの前記ネットワークアダプタにおいて受信された、前記ＨＮＢ−ＧＷがＰＵＡメッセージをサポートすることが可能であるかどうかを示す第２のメッセージを取得することと
を行うための１つまたは複数のプロセッサと
を備える、フェムトセルトランシーバデバイス。
【請求項１８】
前記第２のメッセージは、前記ＨＮＢ−ＧＷがＰＵＡメッセージをサポートしないことを示す、請求項１７に記載のフェムトセルトランシーバデバイス。
【請求項１９】
前記第２のメッセージが、ＰＵＡサポートに関係するパラメータを備えない、請求項１８に記載のフェムトセルトランシーバデバイス。
【請求項２０】
前記第１のメッセージが、ホームノードＢアプリケーションパート（ＨＮＢＡＰ）ＨＮＢ登録要求メッセージを備える、請求項１７に記載のフェムトセルトランシーバデバイス。
【請求項２１】
前記第２のメッセージが、ＨＮＢＡＰ  ＨＮＢ登録受付メッセージを備える、請求項１７に記載のフェムトセルトランシーバデバイス。
【請求項２２】
前記第２のメッセージは、前記ＨＮＢ−ＧＷがＰＵＡメッセージをサポートできることを示す１つまたは複数のパラメータを備える、請求項１７に記載のフェムトセルトランシーバデバイス。
【請求項２３】
前記１つまたは複数のプロセッサは、前記ＨＮＢ−ＧＷがＰＵＡメッセージをサポートできるかどうかを示す前記１つまたは複数のパラメータに少なくとも部分的に基づいて、前記ＨＮＢ−ＧＷへのＰＵＡメッセージの送信の始動を開始することをさらに行うためのものである、請求項２２に記載のフェムトセルトランシーバデバイス。
【請求項２４】
前記第２のメッセージが、１つまたは複数の測位動作のサポートを示すための、予約済み国際モバイル加入者識別情報（ＩＭＳＩ）または予約済み国際モバイル機器識別情報（ＩＭＥＩ）値をさらに備える、請求項２２に記載のフェムトセルトランシーバデバイス。
【請求項２５】
前記１つまたは複数の測位動作のうちの少なくとも１つが、ロケーション推定値の算出を備える、請求項２４に記載のフェムトセルトランシーバ。
【請求項２６】
前記１つまたは複数の測位動作のうちの少なくとも１つが、測位支援データを与えることを備える、請求項２４に記載のフェムトセルトランシーバ。
【請求項２７】
前記１つまたは複数のプロセッサが、前記ネットワークアダプタを通した前記ＨＮＢ−ＧＷへの、前記ＩＭＳＩまたはＩＭＥＩ値を含むＰＣＡＰ位置計算要求メッセージ送信を開始することをさらに行うためのものである、請求項２４に記載のフェムトセルトランシーバ。
【請求項２８】
前記１つまたは複数のプロセッサが、前記ネットワークアダプタを通した前記ＨＮＢ−ＧＷへの、前記ＩＭＳＩまたはＩＭＥＩ値を含むＰＣＡＰ情報交換開始要求メッセージの送信を開始することをさらに行うためのものである、請求項２４に記載のフェムトセルトランシーバ。
【請求項２９】
前記１つまたは複数のプロセッサが、前記ネットワークアダプタを通した前記ＨＮＢ−ＧＷへの、前記ＩＭＳＩまたはＩＭＥＩ値を含むＰＣＡＰ位置開始要求メッセージの送信を開始することをさらに行うためのものである、請求項２４に記載のフェムトセルトランシーバ。
【請求項３０】
ホームノードＢ（ＨＮＢ）デバイスとして構成されたフェムトセルトランシーバデバイスであって、
ポジショニング計算アプリケーションパート（ＰＣＡＰ）ユーザ適応（ＰＵＡ）を介したＰＣＡＰトランスポートのサポートを要求する１つまたは複数のパラメータを備える第１のメッセージをＨＮＢゲートウェイ（ＨＮＢ−ＧＷ）に送信するための手段と、
前記第１のメッセージに応答した前記ＨＮＢ  ＧＷからの、前記ＨＮＢ−ＧＷがＰＵＡメッセージをサポートすることが可能であるかどうかを示す第２のメッセージを受信するための手段と
を備える、フェムトセルトランシーバデバイス。
【請求項３１】
ポジショニング計算アプリケーションパート（ＰＣＡＰ）ユーザ適応（ＰＵＡ）を介したＰＣＡＰトランスポートのサポートを要求する１つまたは複数のパラメータを備える第１のメッセージの、ホームノードＢ（ＨＮＢ）ゲートウェイ（ＨＮＢ−ＧＷ）への送信を開始することと、
前記第１のメッセージに応答した前記ＨＮＢ  ＧＷからの受信された、前記ＨＮＢ−ＧＷがＰＵＡメッセージをサポートすることが可能であるかどうかを示す第２のメッセージを取得することと
を行うための、ＨＮＢとして構成されたフェムトセルトランシーバデバイスの専用算出装置によって実行可能である、その上に記憶された機械可読命令を備える非一時的記憶媒体。
【請求項３２】
ホームノードＢゲートウェイ（ＨＮＢ−ＧＷ）におけるを備える方法であって、
ホームノードＢ（ＨＮＢ）デバイスからの、ポジショニング計算アプリケーションパート（ＰＣＡＰ）ユーザ適応（ＰＵＡ）を介したＰＣＡＰトランスポートのサポートを要求する１つまたは複数のパラメータを備える第１のメッセージを受信することと、
前記第１のメッセージに応答して、前記ＨＮＢ−ＧＷがＰＵＡメッセージをサポートすることが可能であるかどうかを示す１つまたは複数のパラメータを備える第２のメッセージを前記ＨＮＢデバイスに送信することと
を備える、方法。
【請求項３３】
前記ＨＮＢ−ＧＷがＰＵＡメッセージをサポートできるかどうかを示す前記１つまたは複数のパラメータが、ＨＮＢ−ＧＷ  ＰＵＡサポートインジケータを備える、請求項３２に記載の方法。
【請求項３４】
前記ＨＮＢ−ＧＷがＰＵＡメッセージをサポートできるかどうかを示す前記１つまたは複数のパラメータに少なくとも部分的に基づいて、前記ＨＮＢデバイスからＰＵＡメッセージを受信することをさらに備える、請求項３２に記載の方法。
【請求項３５】
前記第２のメッセージが、１つまたは複数の測位動作をサポートする前記ＨＮＢによって使用されるべき、予約済み国際モバイル加入者識別情報（ＩＭＳＩ）値または予約済み国際モバイル機器識別情報（ＩＭＥＩ）値をさらに備える、請求項３２に記載の方法。
【請求項３６】
前記１つまたは複数の測位動作のうちの少なくとも１つが、ロケーション推定値の算出を備える、請求項３５に記載の方法。
【請求項３７】
前記１つまたは複数の測位動作のうちの少なくとも１つが、測位支援データを与えることを備える、請求項３５に記載の方法。
【請求項３８】
前記予約済みＩＭＳＩまたはＩＭＥＩ値を含むＰＣＡＰ位置計算要求メッセージを前記ＨＮＢデバイスから受信することをさらに備える、請求項３５に記載の方法。
【請求項３９】
前記予約済みＩＭＳＩまたはＩＭＥＩ値を含むＰＣＡＰ情報交換開始要求メッセージを前記ＨＮＢデバイスから受信することをさらに備える、請求項３５に記載の方法。
【請求項４０】
前記予約済みＩＭＳＩまたはＩＭＥＩ値を含むＰＣＡＰ位置開始要求メッセージを前記ＨＮＢデバイスから受信することをさらに備える、請求項３５に記載の方法。
【請求項４１】
前記第１のメッセージが、ホームノードＢアプリケーションパート（ＨＮＢＡＰ）ＨＮＢ登録要求メッセージを備える、請求項３２に記載の方法。
【請求項４２】
前記第２のメッセージが、ＨＮＢＡＰ  ＨＮＢ登録受付メッセージを備える、請求項３２に記載の方法。
【請求項４３】
ホームノードＢゲートウェイ（ＨＮＢ−ＧＷ）デバイスであって、
データ通信ネットワークにメッセージを送信し、そこからメッセージを受信するためのネットワークアダプタと、
ホームノードＢ（ＨＮＢ）デバイスからの前記ネットワークアダプタにおいて受信された、ポジショニング計算アプリケーションパート（ＰＣＡＰ）ユーザ適応（ＰＵＡ）を介したＰＣＡＰトランスポートのサポートを要求する１つまたは複数のパラメータを備える第１のメッセージを取得することと、
前記第１のメッセージに応答して、前記ネットワークアダプタを通した前記ＨＮＢデバイスへの、前記ＨＮＢ−ＧＷがＰＵＡメッセージをサポートすることが可能であるかどうかを示す１つまたは複数のパラメータを備える第２のメッセージの送信を開始することと
を行うための１つまたは複数のプロセッサと
を備える、ＨＮＢ−ＧＷデバイス。
【請求項４４】
前記ＨＮＢ−ＧＷがＰＵＡメッセージをサポートできるかどうかを示す前記１つまたは複数のパラメータが、ＨＮＢ−ＧＷ  ＰＵＡサポートインジケータを備える、請求項４３に記載のＨＮＢ−ＧＷデバイス。
【請求項４５】
前記１つまたはプロセッサは、前記ＨＮＢ−ＧＷがＰＵＡメッセージをサポートできるかどうかを示す前記１つまたは複数のパラメータに少なくとも部分的に基づいて、前記ＨＮＢデバイスからの前記ネットワークアダプタにおいて受信されたＰＵＡメッセージを取得することをさらに行うためのものである、請求項４３に記載のＨＮＢ−ＧＷデバイス。
【請求項４６】
前記第２のメッセージが、１つまたは複数の測位動作をサポートする前記ＨＮＢによって使用されるべき、予約済み国際モバイル加入者識別情報（ＩＭＳＩ）値または予約済み国際モバイル機器識別情報（ＩＭＥＩ）値をさらに備える、請求項４３に記載のＨＮＢ−ＧＷデバイス。
【請求項４７】
前記１つまたは複数の測位動作のうちの少なくとも１つが、ロケーション推定値の算出を備える、請求項４６に記載のＨＮＢ−ＧＷデバイス。
【請求項４８】
前記１つまたは複数の測位動作のうちの少なくとも１つが、測位支援データを与えることを備える、請求項４６に記載のＨＮＢ−ＧＷデバイス。
【請求項４９】
前記１つまたは複数のプロセッサが、前記ＨＮＢデバイスからの前記ネットワークアダプタにおいて受信された、前記予約済みＩＭＳＩまたはＩＭＥＩ値を含むＰＣＡＰ位置計算要求メッセージを取得することをさらに行うためのものである、請求項４６に記載のＨＮＢ−ＧＷデバイス。
【請求項５０】
前記１つまたは複数のプロセッサが、前記ＨＮＢデバイスからの前記ネットワークアダプタにおいて受信された、前記予約済みＩＭＳＩまたはＩＭＥＩ値を含むＰＣＡＰ情報交換開始要求メッセージを取得することをさらに行うためのものである、請求項４６に記載のＨＮＢ−ＧＷデバイス。
【請求項５１】
前記１つまたは複数のプロセッサが、前記ＨＮＢデバイスからの、前記予約済みＩＭＳＩまたはＩＭＥＩ値を含むＰＣＡＰ位置開始要求メッセージを取得することをさらに行うためのものであり、それを受信することをさらに備える、請求項４６に記載のＨＮＢ−ＧＷデバイス。
【請求項５２】
ホームノードＢゲートウェイ（ＨＮＢ−ＧＷ）デバイスであって、
ポジショニング計算アプリケーションパート（ＰＣＡＰ）ユーザ適応（ＰＵＡ）を介したＰＣＡＰトランスポートのサポートを要求する１つまたは複数のパラメータを備える第１のメッセージを、ホームノードＢ（ＨＮＢ）デバイスから受信するための手段と、
前記第１のメッセージに応答して、前記ＨＮＢ−ＧＷがＰＵＡメッセージをサポートすることが可能であるかどうかを示す１つまたは複数のパラメータを備える第２のメッセージを、前記ＨＮＢデバイスに送信するための手段と
を備える、ＨＮＢ−ＧＷデバイス。
【請求項５３】
ホームノードＢ（ＨＮＢ）デバイスから受信した、ポジショニング計算アプリケーションパート（ＰＣＡＰ）ユーザ適応（ＰＵＡ）を介したＰＣＡＰトランスポートのサポートを要求する１つまたは複数のパラメータを備える第１のメッセージを取得することと、
前記第１のメッセージに応答して、ホームノードＢゲートウェイ（ＨＮＢ−ＧＷ）がＰＵＡメッセージをサポートすることが可能であるかどうかを示す１つまたは複数のパラメータを備える第２のメッセージの、前記ＨＮＢデバイスへの送信を開始することと
を行うための、ＨＮＢ−ＧＷの１つまたは複数のプロセッサによって実行可能である、その上に記憶された機械可読命令を備える非一時的記憶媒体。
【発明の詳細な説明】
【関連出願】
【０００１】
本出願は、２０１４年１月３１日に出願された「Methods and Systems for Discovery of Home Node B Gateway Support of Positioning」と題される米国仮特許出願第６１／９３４，６８８号、および２０１５年１月２９日に出願された「Methods and Systems for Discovery of Home Node B Gateway Support of Positioning」と題される米国非仮特許出願第１４／６０９，３２１号の優先権を主張するもので、それら全体が参照により本明細書に組み込まれるＰＣＴ出願である。
【技術分野】
【０００２】
[0001]  本明細書で説明する実施形態は、ホームノードＢ（ＨＮＢ）が展開されるベニューまたは他の局所エリアにおけるロケーションベースサービスを提供するための、効率的なネットワークアーキテクチャ並びにデバイス間のメッセージフローの適用を意図する。
【背景技術】
【０００３】
情報：
[0002]  全地球測位システム（ＧＰＳ）並びに他の同様の衛星および地上波測位システムが、屋外環境におけるモバイルハンドセットのためのナビゲーションサービスを可能にした。同様に、屋内環境においてモバイルデバイスの位置の推定値を取得するための特定の技法が、宅内ベニュー、政府ベニューまたは商業ベニューなど、特定の屋内ベニューにおける拡張ロケーションベースサービスを可能にし得る。
【発明の概要】
【０００４】
[00013]  手短に言えば、特定の実現形態は、ホームノードＢ（ＨＮＢ）を備えるフェムトセルトランシーバにおける方法であって、ポジショニング計算アプリケーションパート（ＰＣＡＰ）ユーザ適応（ＰＵＡ）を介したＰＣＡＰトランスポートのサポートを要求する１つまたは複数のパラメータを備える第１のメッセージをＨＮＢゲートウェイ（ＨＮＢ−ＧＷ）に送信することと、第１のメッセージに応答したＨＮＢ  ＧＷからの、ＨＮＢ−ＧＷがＰＵＡメッセージをサポートすることが可能であるかどうかを示す第２のメッセージを受信することとを備える方法を意図する
【０００５】
[00014]  別の特定の実現形態は、ホームノードＢ（ＨＮＢ）デバイスとして構成されたフェムトセルトランシーバデバイスであって、データ通信ネットワークにメッセージを送信し、そこからメッセージを受信するためのネットワークアダプタと、ポジショニング計算アプリケーションパート（ＰＣＡＰ）ユーザ適応（ＰＵＡ）を介したＰＣＡＰトランスポートのサポートを要求する１つまたは複数のパラメータを備える第１のメッセージのＨＮＢゲートウェイ（ＨＮＢ−ＧＷ）への送信を開始することと、第１のメッセージに応答したＨＮＢ  ＧＷからのネットワークアダプタにおいて受信された、ＨＮＢ−ＧＷがＰＵＡメッセージをサポートすることが可能であるかどうかを示す第２のメッセージを取得することとを行うための１つまたは複数のプロセッサとを備える、フェムトセルトランシーバデバイスを意図する。
【０００６】
[00015]  別の特定の実現形態は、ホームノードＢ（ＨＮＢ）デバイスとして構成されたフェムトセルトランシーバデバイスであって、ポジショニング計算アプリケーションパート（ＰＣＡＰ）ユーザ適応（ＰＵＡ）を介したＰＣＡＰトランスポートのサポートを要求する１つまたは複数のパラメータを備える第１のメッセージをＨＮＢゲートウェイ（ＨＮＢ−ＧＷ）に送信するための手段と、第１のメッセージに応答したＨＮＢ  ＧＷからの、ＨＮＢ−ＧＷがＰＵＡメッセージをサポートすることが可能であるかどうかを示す第２のメッセージを受信するための手段とを備える、フェムトセルトランシーバデバイスを意図する。
【０００７】
[00016]  別の特定の実現形態は、ポジショニング計算アプリケーションパート（ＰＣＡＰ）ユーザ適応（ＰＵＡ）を介したＰＣＡＰトランスポートのサポートを要求する１つまたは複数のパラメータを備える第１のメッセージの、ホームノードＢ（ＨＮＢ）ゲートウェイ（ＨＮＢ−ＧＷ）への送信を開始することと、第１のメッセージに応答したＨＮＢ  ＧＷからの受信された、ＨＮＢ−ＧＷがＰＵＡメッセージをサポートすることが可能であるかどうかを示す第２のメッセージを取得することとを行うための、ＨＮＢとして構成されたフェムトセルトランシーバデバイスの専用コンピューティング装置によって実行可能である、その上に記憶された機械可読命令を備える非一時的記憶媒体を意図する。
【０００８】
[00017]  別の特定の実現形態は、ホームノードＢゲートウェイ（ＨＮＢ−ＧＷ）における方法であって、ホームノードＢ（ＨＮＢ）デバイスからの、ポジショニング計算アプリケーションパート（ＰＣＡＰ）ユーザ適応（ＰＵＡ）を介したＰＣＡＰトランスポートのサポートを要求する１つまたは複数のパラメータを備える第１のメッセージを受信することと、第１のメッセージに応答して、ＨＮＢ−ＧＷがＰＵＡメッセージをサポートすることが可能であるかどうかを示す１つまたは複数のパラメータを備える第２のメッセージをＨＮＢデバイスに送信することとを備える、方法を意図する。
【０００９】
[00018]  別の特定の実現形態は、ホームノードＢゲートウェイ（ＨＮＢ−ＧＷ）デバイスであって、データ通信ネットワークにメッセージを送信し、そこからメッセージを受信するためのネットワークアダプタと、ホームノードＢデバイス（ＨＮＢ）デバイスからのネットワークアダプタにおいて受信された、ポジショニング計算アプリケーションパート（ＰＣＡＰ）ユーザ適応（ＰＵＡ）を介したＰＣＡＰトランスポートのサポートを要求する１つまたは複数のパラメータを備える第１のメッセージを取得することと、第１のメッセージに応答して、ＨＮＢ−ＧＷがＰＵＡメッセージをサポートすることが可能であるかどうかを示す１つまたは複数のパラメータを備える第２のメッセージの、ＨＮＢデバイスへの送信を開始することとを行うための１つまたは複数のプロセッサとを備える、ＨＮＢ−ＧＷデバイスを意図する。
【００１０】
[00019]  別の特定の実現形態は、ホームノードＢゲートウェイ（ＨＮＢ−ＧＷ）デバイスであって、ポジショニング計算アプリケーションパート（ＰＣＡＰ）ユーザ適応（ＰＵＡ）を介したＰＣＡＰトランスポートのサポートを要求する１つまたは複数のパラメータを備える第１のメッセージを、ホームノードＢデバイス（ＨＮＢ）デバイスから受信するための手段と、第１のメッセージに応答して、ＨＮＢ−ＧＷがＰＵＡメッセージをサポートすることが可能であるかどうかを示す１つまたは複数のパラメータを備える第２のメッセージを、ＨＮＢデバイスに送信するための手段とを備える、ＨＮＢ−ＧＷデバイスを意図する。
【００１１】
[00020]  別の特定の実現形態は、ホームノードＢデバイス（ＨＮＢ）デバイスから受信した、ポジショニング計算アプリケーションパート（ＰＣＡＰ）ユーザ適応（ＰＵＡ）を介したＰＣＡＰトランスポートのサポートを要求する１つまたは複数のパラメータを備える第１のメッセージを取得することと、第１のメッセージに応答して、ホームノードＢゲートウェイ（ＨＮＢ−ＧＷ）がＰＵＡメッセージをサポートすることが可能であるかどうかを示す１つまたは複数のパラメータを備える第２のメッセージの、ＨＮＢデバイスへの送信を開始することとを行うための、ＨＮＢ−ＧＷの１つまたは複数のプロセッサによって実行可能である、その上に記憶された機械可読命令を備える非一時的記憶媒体を意図する。
【００１２】
[00021]  上述の実現形態は例示的な実現形態にすぎず、請求する主題は、必ずしもこれらの例示的な実現形態の特定の態様に限定されるとは限らないことを理解されたい。
【図面の簡単な説明】
【００１３】
以下の図を参照しながら非限定的で非網羅的な態様について説明し、ここにおいて、別段に規定されていない限り、様々な図の全体を通して、同様の参照番号は同様の部分を指す。
【図１】一実現形態による、モバイルデバイスを含むシステムのいくつかの特徴を示すシステム図である。
【図２】一実施形態による、ロケーションサーバとのホームノードＢ（ＨＮＢ）の統合の概略図である。
【図３】一実施形態による、セキュリティゲートウェイを介した、ＨＮＢゲートウェイ（ＨＮＢ−ＧＷ）とのＨＮＢデバイスの通信を示す概略図である。
【図４】一実施形態による、ＨＮＢデバイスとスタンドアロンサービングモバイルロケーションセンター（ＳＡＳ：standalone serving mobile location center）との間のシグナリングセッションを確立するためのメッセージの交換を示すメッセージフロー図である。
【図５】一実施形態による、ＨＮＢ−ＧＷロケーションサポート能力の発見のためのプロセスにおけるメッセージの交換を示すメッセージフロー図である。
【図６】一実施形態による、ポジショニング計算アプリケーションパート（ＰＣＡＰ）ユーザ適応（ＰＵＡ：PCAP User Adaption）メッセージをサポートするための能力を決定するためにＨＮＢ−ＧＷと対話するためのプロセスの流れ図である。
【図７】一実施形態による、ＰＵＡメッセージをサポートする能力を示すためにＨＮＢと対話するためのプロセスの流れ図である。
【図８】一実現形態による、例示的なデバイスを示す概略ブロック図である。
【図９】一実現形態による、例示的なコンピューティングプラットフォームの概略ブロック図である。
【発明を実施するための形態】
【００１４】
[00022]  ホームノードＢ（ＨＮＢ）システムの展開は、ホーム、オフィスおよび異なるタイプのベニュー（例えばショッピングモール、空港およびコンベンションセンター）などの屋内エリアを含むエリアへのセルラーサービスカバレージの拡大を可能にした。ＨＮＢは、（例えば直径５０〜１５０メートルの）小さいエリアにわたって無線カバレージを与え得、特定のキャリアのための小さい潜在的にポータブルな基地局として働き得る。ＨＮＢは、ユニバーサルモバイルテレコミュニケーションズシステム（ＵＭＴＳ：Universal Mobile Telecommunications System）の一部である、広帯域符号分割多元接続（ＷＣＤＭＡ（登録商標）：Wideband Code Division Multiple Access）など、無線技術を使用してワイヤレスサービスをサポートし得る。ＵＭＴＳとＷＣＤＭＡの両方は、第３世代パートナーシッププロジェクト（３ＧＰＰ（登録商標）：3rd Generation Partnership Project）によって定義される。ＨＮＢは、デジタル加入者線（ＤＳＬ）またはケーブル事業者ネットワークを通して、関連するキャリアのインフラストラクチャ（例えば、コアネットワーク）に接続されることによって展開され得、ＨＮＢによってサービスされるユーザ機器（ＵＥ）デバイスとキャリアインフラストラクチャとの間のボイスおよびデータの交換をサポートし得る。ＨＮＢによってサービスされるＵＥの測位サポートは、ロケーション関係サービス（例えばナビゲーションサポート、方向探知、およびユーザのロケーションに関係する他の情報）を提供し、ＵＥのユーザが緊急呼を行うときのユーザの位置を特定するために、ユーザにとって有用であり得る。しかしながら、キャリア支援測位サービスは、ＨＮＢの全ての展開を通して必ずしも利用可能または使用可能であるとは限らないことがある。
【００１５】
[00023]  ＵＥ測位のサポートは、３ＧＰＰ制御プレーンロケーションソリューションを使用したＷＣＤＭＡおよびＵＭＴＳアクセスのために与えられ得、これは、３ＧＰＰ技術仕様（ＴＳ）２５．３０５において文書化されている。ＵＥ測位のためのユニバーサル地上波無線アクセスネットワーク（ＵＴＲＡＮ：Universal Terrestrial Radio Access Network）アーキテクチャには、モバイルデバイスの測位に関係する異なる機能を有し得る、測位固有要素であるＳＡＳ（スタンドアロンサービングモバイルロケーションセンター）がある。これらの機能は、例えば、（ｉ）ユーザ機器（ＵＥ）（例えば、ＵＥデバイス）が、測位関係信号（例えばＧＰＳ衛星信号）を収集し、測定し、および／または測位測定値からそれのロケーションを算出するのを支援するための、ＵＥへの支援データのプロビジョン、並びに（ｉｉ）ＵＥによって与えられた測位測定値に基づくＵＥのための位置計算のサポートを含み得る。
【００１６】
[00024]  一実施形態によれば、ＳＡＳは、３ＧＰＰ  ＵＴＲＡＮ  Ｉｕｐｃインターフェースを介して無線ネットワークコントローラ（ＲＮＣ）と通信し得、これは、ＳＡＳが、ＵＴＲＡＮ中でＲＮＣおよびノードＢを介してＵＥに測位支援データを与えることと、ノードＢおよびＲＮＣを介してＵＥから測位測定データを受信することとを可能にする。ＳＡＳとＲＮＣとの間のそのようなデータの転送は、３ＧＰＰ  ＴＳ２５．４５３において指定されたポジショニング計算アプリケーションパート（ＰＣＡＰ）プロトコルを使用して、Ｉｕｐｃインターフェースを介して行われ得る。また、３ＧＰＰは、ＳＡＳとＨＮＢとの間のＰＣＡＰプロトコルのサポートを可能にするための、ＵＭＴＳのための３ＧＰＰ制御プレーンロケーションソリューションの拡張につながった、（ＲＮＣおよびノードＢによってではなく）ＨＮＢによってサービスされるＵＥの測位のサポートを導入しており、ここにおいて、ＰＣＡＰプロトコルメッセージが、ホームノードＢゲートウェイ（ＨＮＢ  ＧＷ）を介して、ＳＡＳとＨＮＢとの間でトランスポートされる。これは、ホームノードＢ（ＨＮＢ）デバイスが、ＳＡＳへの測位インターフェースを増加または変更することなしに（そのインターフェースは、ＳＡＳからＨＮＢ  ＧＷまたはＲＮＣのいずれかへの単一のＩｕｐｃインターフェースのままであり得る）、ＨＮＢデバイスによってサービスされるＵＥの測位をサポートするために、ＳＡＳにおける既存のＵＥ測位サポートを利用することを可能にする。ＰＣＡＰメッセージがＨＮＢ−ＧＷを介してＳＡＳとＨＮＢとの間で転送されることを可能にすることは、３ＧＰＰ  ＴＳ２５．４７０に記載されるようにＨＮＢとＨＮＢゲートウェイとの間でＰＣＡＰメッセージをトランスポートする、「ＰＣＡＰユーザ適応」またはＰＵＡとして知られる新しい適応（adaptation）（または適応（adaption））プロトコルを介して実現され得、それにより、ＳＡＳは、ＨＮＢ  ＧＷをＲＮＣとして扱い、ＨＮＢ  ＧＷがＨＮＢとの間で（ＰＵＡを使用した）ＰＣＡＰメッセージを中継していることに（必ずしも）気づいていないことが可能になる。ＰＵＡは、３ＧＰＰ  ＴＳ２５．４６７に記載されるように、ＨＮＢとＨＮＢ−ＧＷとの間の３ＧＰＰ  Ｉｕｈインターフェース上にオーバーレイされるプロトコルとして実現され得る。本明細書では、ホームノードＢゲートウェイが「ＨＮＢ  ＧＷ」または「ＨＮＢ−ＧＷ」のいずれかとして同義的に省略され得ることに留意されたい。
【００１７】
[00025]  ＰＵＡを介したＰＣＡＰトランスポートをＨＮＢ−ＧＷに適用する際の１つの問題は、ＨＮＢデバイスが、（例えばＤＳＬまたはケーブルネットワークを介して）それが接続するＨＮＢ−ＧＷがＰＣＡＰトランスポートをサポートするか否かをアプリオリに知らないことがある。特に、ＨＮＢデバイスが（例えばターゲットロケーションにおける設置および電源投入されることに続いて）ユーザによって最初に初期化される場合、ＨＮＢデバイスは、ＨＮＢのための初期化プロセス中にキャリアネットワークによって割り当てられた、ＨＮＢ−ＧＷがＳＡＳへのＰＣＡＰメッセージ転送をサポートすることが可能であるかどうか、従ってＨＮＢデバイスがＵＥの位置を特定するためにＳＡＳとのＰＣＡＰセッションを呼び出し得るか否かを知らないことがある。特に、ＨＮＢは、ＨＮＢ  ＧＷからアクセス可能であり得るＳＡＳによって与えられたＰＣＡＰサポートを使用して、ＵＥの測位（および場合によってはＨＮＢ自体の測位）をサポートし得るが、ＨＮＢが接続するＨＮＢ  ＧＷは、ＨＮＢへのＰＣＡＰメッセージ転送をサポートするためにアップグレードされていないレガシーデバイスであることがあり、または、ＨＮＢ  ＧＷは、アップグレードされていることがあるが、ＳＡＳに接続されていないことがある。ＨＮＢデバイスが、ＰＣＡＰ転送をサポートしないかまたはＳＡＳに接続されていないＨＮＢ  ＧＷを介して、ＰＣＡＰセッションを誘発することを試みる場合、ＨＮＢ  ＧＷからの応答がないことがあり、場合によっては、ＨＮＢによるＵＥの測位（またはＨＮＢ自体の測位）をサポートする際の失敗または遅延につながる。ＰＵＡが、Ｉｕｈインターフェース上で使用される他のプロトコルとは完全に別個であり、それらにおいて識別されないかまたは表されないことがあるので、ＨＮＢデバイスは、Ｉｕｈインターフェースを介したＨＮＢ  ＧＷとの他のシグナリング交換から、ＨＮＢ  ＧＷがＰＣＡＰをサポートし、ＳＡＳに接続されているかどうかを推論することが可能でないことがある。従って、ＨＮＢデバイスは、ＨＮＢ  ＧＷがＰＣＡＰをサポートし、ＳＡＳに接続され得ると仮定し、（例えば、ＨＮＢ−ＧＷがサポートしないプロトコルのための、Ｉｕｈインターフェース上で定義された失敗メッセージがないことがあるので）ＨＮＢ  ＧＷがＰＵＡをサポートしない場合にＨＮＢ−ＧＷによって返答されないことがあるＰＣＡＰおよびＰＵＡメッセージを送ることによって試行錯誤を介して進む必要があり得る。この試行錯誤手法は、Ｉｕｈインターフェース上の追加のトラフィックを引き起こし（例えば限られた帯域幅をもつＡＤＳＬ回線がＩｕｈインターフェース上で使用される場合、他のＩｕｈシグナリングに対して輻輳および遅延を生じる）、並びにＵＥ測位に関与するリソースを浪費することを引き起こし得る。例えば、ＰＵＡプロトコルをサポートしないＨＮＢ−ＧＷを介して、ＰＣＡＰメッセージをＳＡＳに転送することの失敗した試みに費やされる時間により、有益な時間（例えば、数秒以上）が失われ得、これは、コアネットワークから受信されたＵＥのためのロケーション要求に対するＨＮＢからの応答を遅延させ得る。
【００１８】
[00026]  図１に示されるように、特定の実現形態では、ＵＥと呼ばれることもあるモバイルデバイス１００が、ワイヤレス通信ネットワークに無線信号を送信し、そこから無線信号を受信し得る。一例では、モバイルデバイス１００が、ワイヤレス通信リンク１２３を介して、ＨＮＢを備え得るフェムトセルトランシーバ１１０にワイヤレス信号を送信するか、またはそこからワイヤレス信号を受信することによってセルラー通信ネットワークと通信し得る。同様に、モバイルデバイス１００は、ワイヤレス通信リンク１２５を介してローカルトランシーバ１１５にワイヤレス信号を送信するか、またはそこからワイヤレス信号を受信し得る。さらに、モバイルデバイス１００は、ワイヤレス通信リンク１２７を介して、基地局、ノードＢまたは発展型ノードＢ（ｅノードＢ）を備え得るセルラートランシーバ１１２にワイヤレス信号を送信するか、またはそこからワイヤレス信号を受信し得る。
【００１９】
[00027]  特定の実現形態では、ローカルトランシーバ１１５が、ワイヤレス通信リンク１２３を介してフェムトセルトランシーバ１１０によって使用可能にされる距離と同様の距離でワイヤレス通信リンク１２５を介してモバイルデバイス１００と通信するように構成され得る。例えば、ローカルトランシーバ１１５とフェムトセルトランシーバ１１０の両方が屋内環境に配置され得る。ローカルトランシーバ１１５は、ＡＰを備え得、ワイヤレスローカルエリアネットワーク（ＷＬＡＮ、例えば、ＩＥＥＥ８０２．１１ネットワーク）またはワイヤレスパーソナルエリアネットワーク（ＷＰＡＮ、例えば、Ｂｌｕｅｔｏｏｔｈ（登録商標）ネットワーク）へのアクセスを与え得る。特定の実現形態では、セルラートランシーバ１１２が、フェムトセルトランシーバ１１０および／またはローカルトランシーバ１１５によってサポートされるよりも大きいカバレージエリアをもつマクロセルまたはピコセルをサポートし得、屋内環境に配置されることもされないこともある。もちろん、これらが、ワイヤレスリンクを介してモバイルデバイスと通信し得るネットワークの例にすぎず、請求する主題は、この点について限定されないことを理解されたい。
【００２０】
[00028]  ワイヤレス通信リンク１２３および／またはワイヤレス通信リンク１２７をサポートし得るネットワーク技術の例は、モバイル通信用グローバルシステム（ＧＳＭ（登録商標））、符号分割多元接続（ＣＤＭＡ）、広帯域ＣＤＭＡ（ＷＣＤＭＡ）、ロングタームエボリューション（ＬＴＥ（登録商標））、高速パケットデータ（ＨＲＰＤ）である。ＧＳＭ、ＷＣＤＭＡおよびＬＴＥは、３ＧＰＰによって定義された技術である。ＣＤＭＡおよびＨＲＰＤは、第３世代パートナーシッププロジェクト２（３ＧＰＰ２：3rd Generation Partnership Project 2）によって定義された技術である。ＷＣＤＭＡはまた、ＵＭＴＳの一部であり、前述のようにＨＮＢによってサポートされ得る。フェムトセルトランシーバ１１０およびセルラートランシーバ１１２は、（例えば、サービス契約の下での）サービスのためにワイヤレス電気通信ネットワークへの加入者アクセス（例えばモバイルデバイス１００へのアクセス）を提供する機器の展開を備え得る。ここで、フェムトセルトランシーバ１１０は、フェムトセルトランシーバ１１０がアクセスサービスを提供することが可能である距離に少なくとも部分的に基づいて決定されたセル内の加入者デバイスをサービスする際に、セルラー基地局の機能（例えばセルラートランシーバ１１２と同様の機能）を行い得る。特定の実現形態では（および図２中の特定の例示的な実現形態を用いて以下で説明するように）、フェムトセルトランシーバ１１０は、インターネットサービスプロバイダ（ＩＳＰ）ゲートウェイを介して（例えば、ケーブルまたはＤＳＬモデムを通して）キャリアネットワークに接続され得る。ワイヤレス通信リンク１２５をサポートし得る無線技術の例は、ＩＥＥＥ８０２．１１またはＢｌｕｅｔｏｏｔｈ（ＢＴ）である。
【００２１】
[00029]  特定の実現形態では、フェムトセルトランシーバ１１０、ローカルトランシーバ１１５およびセルラートランシーバ１１２が、リンク１４５を通してネットワーク１３０を介してサーバ１４０、１５０および／または１５５と通信し得る。ここで、ネットワーク１３０は、ワイヤードまたはワイヤレスリンクの任意の組合せを備え得、フェムトセルトランシーバ１１０、セルラートランシーバ１１２並びに／またはローカルトランシーバ１１５並びに／またはサーバ１４０、１５０および１５５を含み得る。特定の実現形態では、ネットワーク１３０が、ローカルトランシーバ１１５、セルラートランシーバ１１２またはフェムトセルトランシーバ１１０を介したモバイルデバイス１００とサーバ１４０、１５０または１５５との間の通信を容易にすることが可能なインターネットプロトコル（ＩＰ）インフラストラクチャを備え得る。別の実現形態では、ネットワーク１３０が、モバイルデバイス１００とのモバイルセルラー通信を容易にするために、例えば、基地局コントローラあるいはパケットベースまたは回路ベース交換センター（図示せず）など、セルラー通信関係ネットワークインフラストラクチャを備え得る。特定の実現形態では、ネットワーク１３０が、ＷｉＦｉ（登録商標）  ＡＰ、ルータおよびブリッジなど、ローカルエリアネットワーク（ＬＡＮ）要素を備え得、その場合、インターネットなどのワイドエリアネットワークへのアクセスを与えるゲートウェイ要素へのリンクを含むか、またはそれを有し得る。他の実現形態では、ネットワーク１３０が、ＬＡＮを備え得、ワイドエリアネットワークへのアクセスを有することも有しないこともあるが、（サポートされる場合）そのようなアクセスをモバイルデバイス１００に与えないことがある。いくつかの実現形態では、ネットワーク１３０が、複数のネットワーク（例えば、１つまたは複数のワイヤレスネットワークおよび／またはインターネット）を備え得る。一実現形態では、ネットワーク１３０が、１つまたは複数のＨＮＢ−ＧＷ、１つまたは複数のＲＮＣおよび／または１つまたは複数のセキュリティゲートウェイを含み得る。一実現形態では、サーバ１４０、１５０および１５５のうちの１つまたは複数はＳＡＳであり得、ネットワーク１３０中の１つまたは複数のＨＮＢ−ＧＷおよび／または１つまたは複数のＲＮＣに接続し得る。
【００２２】
[00030]  特定の実現形態では、および以下で説明するように、モバイルデバイス１００が、モバイルデバイス１００の位置フィックスまたは推定ロケーションを算出することが可能な回路と処理リソースとを有し得る。現在図示される例では、モバイルデバイス１００が、例えば、アドバンストフォワードリンクトリラテラレーション（ＡＦＬＴ：Advanced Forward Link Trilateration）、観測到着時間差（ＯＴＤＯＡ：Observed Time Difference Of Arrival）または拡張セルＩＤ（Ｅ−ＣＩＤ）など、いくつかの位置方法のうちのいずれか１つを使用して、既知のロケーションにおいて固定された地上波送信機（例えば、フェムトセルトランシーバ１１０および／またはセルラートランシーバ１１２など）から受信された信号を処理することによって、位置フィックスを取得し得る。これらの技法のうちのいくつかでは、擬似距離またはタイミング差が、送信機によって送信され、モバイルデバイス１００において受信されるパイロットまたは他の測位関係信号に少なくとも部分的に基づいて、既知のロケーションに固定されたそのような地上波送信機のうちの３つまたはそれ以上に対してモバイルデバイス１００において測定され得る。ここで、サーバ１４０、１５０または１５５は、ＡＦＬＴおよびＯＴＤＯＡなどの測位技法を容易にするために、例えば、測定されるべき信号に関する情報（例えば、信号タイミング、信号電力）並びに地上波送信機のロケーションおよび識別情報を含む、測位支援データをモバイルデバイス１００に与えることが可能であり得る。例えば、サーバ１４０、１５０または１５５は、特定のベニューなどの特定の１つまたは複数の領域中のフェムトセルトランシーバ、セルラートランシーバおよび／またはローカルトランシーバのロケーションおよび識別情報を示すアルマナックを備え得、送信電力および信号タイミングなど、フェムトセル、基地局またはＡＰによって送信される信号を記述する情報を与え得る。Ｅ−ＣＩＤ測位の場合、モバイルデバイス１００は、フェムトセルトランシーバ１１０、セルラートランシーバ１１２および／またはローカルトランシーバ１１５から受信された信号のための信号強度および／または信号品質（例えば信号対雑音比（Ｓ／Ｎ））を測定し得、並びに／あるいはモバイルデバイス１００と各トランシーバとの間のラウンドトリップ信号伝搬時間（ＲＴＴ）を測定し得、モバイルデバイス１００のためのロケーションを決定するためにサーバ１４０。１５０または１５５から受信されたこの情報とアルマナックデータとを使用し得、あるいは同じ決定を行うためにサーバ１４０、１５０または１５５にその情報を転送し得る。
【００２３】
[00031]  モバイルデバイス（例えば、図１中のモバイルデバイス１００）は、デバイス、ワイヤレスデバイス、モバイル端末、端末、ワイヤレス端末、移動局（ＭＳ）、ユーザ機器（ＵＥ）、セキュアユーザプレーンロケーション（ＳＵＰＬ：Secure User Plane Location）対応端末（ＳＥＴ：SUPL Enabled Terminal）と呼ばれるか、または何らかの他の名前で呼ばれることがあり、セルフォン、スマートフォン、ラップトップ、タブレット、ＰＤＡ、トラッキングデバイスまたは何らかの他のポータブルもしくは可動デバイスに対応し得る。一般に、必ずしもそうとは限らないが、モバイルデバイスは、ＧＳＭ、ＷＣＤＭＡ、ＬＴＥ、ＣＤＭＡ、ＵＭＴＳ、ＨＲＰＤ、ＷｉＦｉ、ＢＴ、ＷｉＭａｘ（登録商標）を使用するなどしてワイヤレス通信をサポートし得る。モバイルデバイスはまた、例えば、ワイヤレスＬＡＮ（ＷＬＡＮ）、ＤＳＬまたはパケットケーブルを使用してワイヤレス通信をサポートし得る。モバイルデバイスは、単一のエンティティを備え得、あるいは、ユーザがオーディオ、ビデオおよび／もしくはデータＩ／Ｏデバイス並びに／またはボディセンサー並びに別個のワイヤラインもしくはワイヤレスモデムを採用し得るパーソナルエリアネットワーク中などで複数のエンティティを備え得る。モバイルデバイス（例えば、モバイルデバイス１００）のロケーションは、ロケーション推定値、位置、位置フィックス、ロケーションフィックスまたは位置推定値と呼ばれることがあり、地理的なものであり、それにより、高度成分（例えば、海抜高、地表高、地表深度、フロアレベルまたは地階レベル）を含むことも含まないこともあるモバイルデバイスのロケーション座標（例えば、緯度および経度）を与え得る。代替的に、モバイルデバイスのロケーションは、都市ロケーションとして（例えば、郵便宛先または何らかの地点の指定または特定の部屋もしくはフロアなどの建築物中の小さいエリアとして）表され得る。モバイルデバイスのロケーションはまた、ある確率または信頼性レベル（例えば、６７％または９５％）でモバイルデバイスがそれの内部に位置することが予想される（地理的にまたは都市形態で定義される）エリアまたはボリュームとして表され得る。モバイルデバイスのロケーションは、さらに、例えば、地理的に、または都市に関して、またはマップ、フロアプランもしくは建築物プラン上に示されたポイント、エリアもしくはボリュームを参照して定義され得る既知のロケーションにある何らかの起点に対して定義された、距離および方向または相対Ｘ、Ｙ（およびＺ）座標を備える、相対ロケーションであり得る。本明細書に含まれている説明では、ロケーションという用語の使用が、別段に規定されていない限り、これらの変形態のいずれかを備え得る。
【００２４】
[00032]  図１に関して前に説明したネットワークアーキテクチャは、オープンモバイルアライアンス（ＯＭＡ）によって定義される標準セキュアユーザプレーンロケーション（ＳＵＰＬ）ソリューション、並びに３ＧＰＰおよび３ＧＰＰ２制御プレーンロケーションソリューションを含む、様々な屋外および屋内ロケーションソリューションに適合できる汎用アーキテクチャと見なされ得る。例えば、サーバ１４０、１５０または１５５は、（ｉ）ＳＵＰＬロケーションソリューションをサポートするためのＳＵＰＬロケーションプラットフォーム（ＳＬＰ：SUPL location platform）、あるいは（ｉｉ）ワイヤレス通信リンク１２３、１２５または１２７上でＬＴＥアクセスを用いた３ＧＰＰ制御プレーンロケーションソリューションをサポートするための拡張サービングモバイルロケーションセンター（Ｅ−ＳＭＬＣ：enhanced Serving Mobile Location Center）、あるいは（ｉｉｉ）ワイヤレス通信リンク１２３、１２５または１２７上でＵＭＴＳのための３ＧＰＰ制御プレーンロケーションソリューションをサポートするためのスタンドアロンサービングモバイルロケーションセンター（ＳＡＳ）として機能し得る。
【００２５】
[00033]  図２は、一実施形態による、ロケーションサーバとのＨＮＢの統合の概略図である。ＵＥ２０２は、Ｕｕインターフェース２１６を通してモバイルサービスを受信するために、ＷＣＤＭＡを使用してＨＮＢ２０４と通信し得る。ここで、ＨＮＢ２０４は、（例えば、測位サービスのための）ＵＥ２０２とＳＡＳ２１０との間の通信、並びに（例えば、ボイスまたはデータサービスのための）ＵＥ２０２とモバイル交換センター／サービング汎用パケット無線サービス（ＧＰＲＳ）サポートノード（ＭＳＣ／ＳＧＳＮ）２１４との間の通信を可能にし得る。ＨＮＢゲートウェイ（ＨＮＢ  ＧＷ）２１２は、ＲＮＣの少なくともいくつかの機能を行い、Ｉｕインターフェースを介してＭＳＣ／ＳＧＳＮ２１４と通信し、Ｉｕｐｃインターフェースを介してＳＡＳ２１０と通信し得る。図２中のＵＥ２０２、ＨＮＢ２０４、Ｕｕインターフェース２１６およびＳＡＳ２１０は、それぞれ、一実現形態では図１中のモバイルデバイス１００、フェムトセルトランシーバ１１０、ワイヤレス通信リンク１２３並びにサーバ１４０、１５０および１５５のうちの１つに対応し得る。
【００２６】
[00034]  設置および初期化に関して、ＨＮＢ２０４は、例えば、ＨＮＢ  ＧＷ２１２などのＨＮＢ  ＧＷの識別情報および／またはアドレスを含む、構成パラメータを受信するために、場合によってはセキュリティゲートウェイ（例えばセキュリティゲートウェイ（ＳｅＧＷ）２０８）を介して、リモートＨＮＢ管理システム（ＨＭＳ）２０６と通信し得る。ＨＮＢ２０４は、次いで、ＨＮＢ  ＧＷ２１２へのアクセスのためにセキュリティゲートウェイ（ＳｅＧＷ）２０８と通信し得る。特定の実施形態において以下で説明するように、ＨＮＢ２０４は、次いで、ＨＮＢ  ＧＷ２１２に登録し、ＨＮＢ  ＧＷ２１２がＳＡＳ２１０とＨＮＢ２０４との間のＰＣＡＰメッセージのトランスポートをサポートするかどうかを決定し得る。
【００２７】
[00035]  図３は、一実施形態による、ＳｅＧＷを介した、ＨＮＢゲートウェイ（ＨＮＢ  ＧＷ）３０４とのＨＮＢデバイス３０２の通信を示す概略図である。図３中のＨＮＢデバイス３０２のうちのいずれかおよびＨＮＢ  ＧＷ３０４は、それぞれ、図２中のＨＮＢ２０４およびＨＮＢ  ＧＷ２１２に対応し得る。（例えば図２に関連して）上記で説明したように、ＨＮＢデバイス３０２は、ＰＣＡＰメッセージを使用して、ＨＮＢ  ＧＷ３０４を通してＳＡＳと通信し得る。これらのメッセージは、ＰＣＡＰユーザ適応（ＰＵＡ）などのプロトコルを使用して、Ｉｕｈインターフェースを介してＨＮＢデバイス３０２からＨＮＢ  ＧＷ３０４に送られ、次いで、ＰＣＡＰメッセージのトランスポートのためのシグナリング接続制御パート（ＳＣＣＰ：Signaling Connection Control Part）プロトコルを採用し得るＩｕｐｃインターフェースを使用して、ＨＮＢ  ＧＷ３０４からＳＡＳ（図示せず）に送られる。ＰＵＡプロトコルは、ＨＮＢ  ＧＷ３０４が、ＨＮＢデバイス３０２から受信された、または異なるＵＥ（またはＨＮＢ）測位セッションに関係する異なるＨＮＢデバイス３０２から受信された、ＰＣＡＰメッセージを区別することを可能にし得、その結果、ＨＮＢ  ＧＷ３０４は、各ＰＣＡＰメッセージのコンテンツを分析することなしに、特定のＳＡＳにメッセージをフォワーディングするときに、正しいＳＡＳターゲットを識別すること、また、これらのメッセージをＩｕｐｃインターフェースのための正しいコンテキスト（例えば正しいＳＣＣＰ接続）に関連付けることが可能である。
【００２８】
[00036]  一実施形態による、メッセージフローの一例が、図４に示される。ここで、ソースＨＮＢデバイス４０２は、図１中のフェムトセルトランシーバ１１０、図２中のＨＮＢ２０４および／または図３中のＨＮＢデバイス３０２に対応し得、ＨＮＢ−ＧＷ４０４は、図２中のＨＮＢ  ＧＷ２１２および／または図３中のＨＮＢ  ＧＷ３０４に対応し得、ＳＡＳ４０６は、図１中のサーバ１４０、１５０および１５５のうちのいずれか並びに／または図２中のＳＡＳ２１０に対応し得る。ここで、ソースＨＮＢデバイス４０２は、ＰＣＡＰコンテキストＩｄと、ＰＣＡＰパケットデータユニット（ＰＤＵ）と、ＳＡＳ４０６のためのインジケータとを含むＰＵＡ：接続メッセージをＨＮＢ−ＧＷ４０４に送ることによって段階４１１において開始する、ＨＮＢ−ＧＷ４０４とのメッセージの交換を通して、ＳＡＳ４０６とのＰＣＡＰセッションを確立し得る。段階４１２において、受信側ＨＮＢ−ＧＷ４０４は、段階４１１において受信されたＰＣＡＰ  ＰＤＵがそれにルーティングされるであろうターゲットＳＡＳ４０６を識別し得、（例えば、ＨＮＢ−ＧＷ４０４とＳＡＳ４０６との間の）ＳＣＣＰベースシグナリング接続と（ソースＨＮＢデバイス４０２とＨＮＢ−ＧＷ４０４との間の）ＰＵＡベースシグナリング接続との間のマッピングを作成し、維持する。段階４１３において、ＨＮＢ−ＧＷ４０４は、段階４１１において受信されたＰＣＡＰ  ＰＤＵを含むＳＣＣＰ接続要求をＳＡＳ４０６に送ることによって（例えば３ＧＰＰ  ＴＳ２５．４５０に記載されているように）ＳＡＳ４０６へのＳＣＣＰ接続を確立する。ターゲットＳＡＳ４０６は、受信されたＰＣＡＰ  ＰＤＵを処理し、（例えば、ＳＣＣＰ接続確認中で転送され得る）ＰＣＡＰ  ＰＤＵ応答メッセージで返答し得る。段階４１４において、受信側ＨＮＢ−ＧＷ４０４は、段階４１１において受信されたＰＣＡＰコンテキストＩＤと段階４１３において受信されたＰＣＡＰ  ＰＤＵ応答メッセージとを含むＰＵＡ：直接転送メッセージを開始し得る。ソースＨＮＢデバイス４０２とターゲットＳＡＳ４０６との間の接続が、次いで、段階４１５において特定のシグナリング接続のために確立され、場合によっては、より多くのＰＣＡＰメッセージを転送するために使用され得る。
【００２９】
[00037]  一実施形態によれば、図４に示されるメッセージフローは、ソースＨＮＢデバイス４０２が、図４中のメッセージフローがＨＮＢ−ＧＷ４０４によってサポートされ得る（例えば、ＨＮＢ−ＧＷ４０４が、ＰＵＡを使用したＰＣＡＰメッセージの転送をサポートする）ことを事前に知ることを可能にする、ソースＨＮＢデバイス４０２とＨＮＢ−ＧＷ４０４との間の一連のメッセージによって先行され得る。この一連のメッセージは、（ＨＮＢデバイス４０２が、例えば図２に示されるようにＨＭＳおよびＨＮＢ−ＧＷへの接続性を有する状況において、ＨＮＢデバイス４０２がユーザによってまたはネットワーク事業者によって初めて電源投入されたすぐ後に）ソースＨＮＢデバイス４０２の初期化の一部として発生し得る。
【００３０】
[00038]  上述の実施形態の例示的な実現形態が、図５に示されており、ここにおいて、ＨＮＢデバイス５０２が、図４中のソースＨＮＢデバイス４０２および図２中のＨＮＢ２０４に対応し得、ＨＮＢ−ＧＷ５０６が、図４中のＨＮＢ−ＧＷ４０４および図２中のＨＮＢ  ＧＷ２１２に対応し得、セキュリティゲートウェイ（ＳｅＧＷ）５０４が、図２中のＳｅＧＷ２０８に対応し得る。段階５１１において、ＨＮＢデバイス５０２は、（例えばユーザまたは事業者によって電源投入され、またはさもなければ命令された後）初期化を行うことを開始し、（図５に示されていない）ＨＭＳに接続し、ＨＮＢ−ＧＷ５０６のアドレスまたは識別情報を取得し得る。段階５１２において、ＨＮＢデバイス５０２は、セキュリティゲートウェイ５０４へのセキュア通信トンネルを確立する。段階５１３において、ＨＮＢデバイス５０２は、ＨＮＢ−ＧＷ５０６とのＩｕｈインターフェースを介した高信頼トランスポートセッションを確立し得る。段階５１４において、ＨＮＢデバイス５０２は、通常ＨＮＢ動作についてＨＮＢ  ＧＷ５０６に登録するために、ＨＮＢ  ＧＷ５０６にホームノードＢアプリケーションパート（ＨＮＢＡＰ：Home Node B Application Part）ＨＮＢ登録要求メッセージを送る。ＨＮＢ登録要求メッセージは、ＨＮＢデバイス５０２のためのロケーション推定値、ＨＮＢデバイス５０２の識別情報およびＨＮＢ動作パラメータなど、登録のために必要とされるパラメータを含み得る。この実施形態で、ＨＮＢ登録要求メッセージはまた、ＨＮＢデバイス５０２がＰＵＡをサポートするかまたはサポートし得ること、および／あるいはＨＮＢデバイス５０２がＨＮＢ−ＧＷ５０６のＰＵＡ能力を知ることを望むことを示す、本明細書では「ＨＮＢ  ＰＵＡサポートインジケータ」と呼ぶ第１のパラメータを含む。ＨＮＢ−ＧＷ５０６は、段階５１５におけるＨＮＢＡＰ  ＨＮＢ登録受付メッセージまたは段階５１６におけるＨＮＢＡＰ  ＨＮＢ登録拒否メッセージのいずれかで応答し得る。ＨＮＢ−ＧＷ５０６が段階５１５においてＨＮＢ登録受付メッセージで応答する場合、段階５１７においてＨＮＢデバイス５０２とＨＮＢ−ＧＷ５０６との間の高信頼トランスポートセッションが確立され得る。この実施形態で、段階５１４における、ＨＮＢ  ＰＵＡサポートインジケータを含むＨＮＢ登録要求メッセージに応答して、ＨＮＢ−ＧＷ５０６は、段階５１５において、ＨＮＢ−ＧＷ５０６がＰＵＡをサポートし、ＳＡＳ（例えば図４中のＳＡＳ４０６および／または図２中のＳＡＳ２１０に対応するＳＡＳ）に接続されているか否かを示す、本明細書では「ＨＮＢ−ＧＷ  ＰＵＡサポートインジケータ」と呼ぶ、パラメータをＨＮＢ登録受付メッセージ中に含め得る。ＨＮＢ−ＧＷ  ＰＵＡサポートインジケータは、ＰＵＡにおける、ＨＮＢ−ＧＷ５０６がそれに接続され得る任意のＳＡＳ、各ＳＡＳまたは全てのＳＡＳのローカルＩＤ、サポートされる測位方法およびサポートされる測位要求のタイプ（例えば全てのタイプ、緊急測位要求、非緊急測位要求、高精度測位要求、低精度測位要求）など、それらのＳＡＳの特性をさらに示し得る。ＨＮＢ−ＧＷ５０６がＰＵＡをサポートしないか、ＳＡＳに接続されていないかまた��ＨＮＢ登録要求メッセージ中のＨＮＢ  ＰＵＡサポートインジケータを認識しない場合、ＨＮＢ−ＧＷ５０６は、段階５１５においてＨＮＢ登録受付メッセージ中にＨＮＢ−ＧＷ  ＰＵＡサポートインジケータを含めないことがあり、あるいはＨＮＢ−ＧＷがＰＵＡをサポートしないかまたはサポートしないであろうことを示すＨＮＢ−ＧＷ  ＰＵＡサポートインジケータを含めることがある。段階５１５において、ＨＮＢ−ＧＷ５０６が、ＰＵＡがサポートされることとＨＮＢ−ＧＷ５０６がＳＡＳに接続されることとを示すＨＮＢ−ＧＷ  ＰＵＡサポートインジケータを含める場合、ＨＮＢデバイス５０２myは、例えば図４に例示されるように、ＨＮＢ−ＧＷ５０６を介してＳＡＳとのＰＣＡＰセッションを開始することによって、ＵＥまたはそれ自体の測位を後で呼び出す。
【００３１】
[00039]  図６および図７に、いくつかの実施形態による、ＰＵＡメッセージをサポートするためのＨＮＢ−ＧＷの能力を確立する際のＨＮＢデバイスとＨＮＢ−ＧＷとの間の相互作用を示す。上記で指摘したように、特定の実現形態において、これらのアクションは、ＨＮＢデバイスとＨＮＢ−ＧＷとの間のセキュアトンネルの確立に続いて行われ得る。一実施形態によれば、ＨＮＢ初期化中に、ＨＮＢデバイスは、（例えば、図５に関連して説明したＨＮＢＡＰメッセージ交換を使用して）ＨＮＢデバイス自体をＨＮＢ−ＧＷに登録するために、およびＨＮＢデバイスが、ＨＮＢ−ＧＷがＰＵＡをサポートするかどうかを発見することを可能にするために、メッセージ交換に関与し得る。
【００３２】
[00040]  ブロック６０２において、（例えば図５中のＨＮＢデバイス５０２に対応し得る）ＨＮＢデバイスは、（例えば図５中のＨＮＢ−ＧＷ５０６に対応し得る）ＰＵＡを介したＰＣＡＰトランスポートのサポートを要求する１つまたは複数のパラメータを備える第１のメッセージをＨＮＢ−ＧＷにトランスットする。ブロック６０２において送信された第１のメッセージは、例えば、ブロック７０２において受信側ＨＮＢ−ＧＷにおいて受信され得る。このコンテキストでは「ＰＵＡを介したＰＣＡＰトランスポートのサポート」は、測位動作を行うまたはサポートすることの過程において、ＨＮＢデバイスとＨＮＢ−ＧＷとの間のＰＵＡトランスポートを使用した、ＨＮＢデバイスとＳＡＳとの間のＰＣＡＰメッセージを転送する能力である。例えば、上記で説明したように、そのようなＰＣＡＰメッセージは、（例えば、ＵＥに与えられるべき）ＳＡＳからＨＮＢデバイスに送信される測位支援データを備え得る。同様に、そのようなＰＣＡＰメッセージは、ＨＮＢデバイスからＳＡＳに送信された（例えば、ＵＥにおいて取得された）、測位測定値またはロケーション推定値を備え得る。さらに、そのようなＰＣＡＰメッセージは、（ｉ）ＨＮＢデバイスによってサービスされるＵＥのためにＨＮＢデバイスによって行われるべき、および／または（ｉｉ）ＵＥからＨＮＢデバイスによって取得されるべき、ロケーション関係測定値（例えばＲＴＴおよび／またはＳ／Ｎ）についての、ＳＡＳからＨＮＢデバイスへの要求を備え得る。そのようなＰＣＡＰメッセージは、ＨＮＢデバイスによってＳＡＳに返されたそのような要求された測定値のうちの１つまたは複数をさらに備え得る。但し、これらはＰＵＡを介したＰＣＡＰトランスポートに関連してサポートされ得る特徴の例にすぎず、請求する主題はこの点について限定されないことを理解されたい。
【００３３】
[00041]  図５中の段階５１４において上記で説明したように、特定の実現形態で、この第１のメッセージは、ＨＮＢデバイスの識別情報および場合によってはＨＮＢデバイスのロケーションを指定する、並びにＨＮＢデバイスがＰＵＡをサポートするかまたはサポートし得ることおよび／あるいはＨＮＢデバイスがＨＮＢ−ＧＷのＰＵＡ能力を知ることを望むことを示す第１のパラメータを含む、ＨＮＢ登録要求メッセージを備え得る。特定の実現形態で、第１のパラメータは、ＨＮＢ  ＰＵＡサポートインジケータであり得る。従って、ＨＮＢデバイスがＨＮＢ−ＧＷとの、ＰＵＡを介したＰＣＡＰトランスポートを使用することを望む場合、それはＨＮＢ登録要求メッセージ中にＨＮＢ  ＰＵＡサポートインジケータを含め得る。一実施形態では、ＨＮＢ  ＰＵＡサポートインジケータがＨＮＢ登録要求メッセージ中に含まれないことがあり、代わりに、ＨＮＢ  ＧＷは、ＨＮＢデバイスから受信されたＨＮＢ登録要求中にＨＮＢ  ＰＵＡサポートインジケータが含まれるかのように進み得、ＨＮＢ登録受付応答中でＰＵＡをサポートするかまたはサポートしないＨＮＢ  ＧＷ能力をＨＮＢデバイスに与え得る。但し、第１のメッセージのために異なるメッセージが使用されることがあり、請求する主題は、ＨＮＢ登録要求メッセージの使用に限定されないことを理解されたい。
【００３４】
[00042]  ブロック６０２において送信され、ブロック７０２において受信された第１のメッセージの受信に応答して、ＨＮＢ−ＧＷは、ブロック７０４において、ＨＮＢ−ＧＷがＰＵＡメッセージをサポートすることが可能であるかどうかを示す１つまたは複数のパラメータを備える第２のメッセージをＨＮＢデバイスに送信する。第２のメッセージは、例えば、ブロック６０４においてＨＮＢデバイスによって受信され得る。図５中の段階５１５において上記で説明したように、特定の実現形態で、この第２のメッセージは、ＨＮＢ−ＧＷの１つまたは複数の能力を示し、ＨＮＢ  ＧＷがＰＵＡをサポートし、ＳＡＳに接続されているか否かを示す第２のパラメータを含む、ＨＮＢ登録受付メッセージを備え得る。別の特定の実施形態で、ＨＮＢ登録受付メッセージは、利用可能なロケーションサーバを示す１つまたは複数のパラメータをさらに備え得る。例えば、利用可能なロケーションサーバを示す１つまたは複数のパラメータは、特定のケーションサーバのサーバ識別子またはサーバ識別情報と、そのような各ロケーションサーバによってサポートされる特定の測位方法とを備え得る。但し、第２のメッセージのために異なるタイプのメッセージが使用されることがあり、請求する主題は、ＨＮＢ登録受付メッセージの使用に限定されないことを理解されたい。
【００３５】
[00043]  特定の実現形態で、ブロック７０４においてＨＮＢ−ＧＷから送信されたＨＮＢ登録受付メッセージは、（例えば、図４に示されるように）ＨＮＢ−ＧＷがＰＵＡを介したＰＣＡＰ転送をサポートする場合、オプション要素ＨＮＢ−ＧＷ  ＰＵＡサポートインジケータを備え得る。ここで、ＨＮＢ−ＧＷがＰＵＡ機能をサポートし、新たに登録されたＨＮＢにＰＵＡサポートを与える意思がある場合、ＨＮＢ−ＧＷは、ブロック７０４において送信されるＨＮＢ登録受付メッセージ中にＨＮＢ−ＧＷ  ＰＵＡサポートインジケータを含めることによって、（例えば、ブロック７０２において受信されたＨＮＢ登録要求メッセージ中の）ＨＮＢ  ＰＵＡサポートインジケータの受信に応答し得る。一実施形態で、ＨＮＢ−ＧＷがＰＵＡをサポートする場合でも、ＳＡＳへの利用可能なＩｕｐｃインターフェースがない場合、ＨＮＢ−ＧＷは、ＨＮＢ−ＧＷサポートインジケータを与えないことを選択し得る。ＨＮＢ−ＧＷがＨＮＢ登録要求メッセージ中で受信されたＨＮＢ  ＰＵＡサポートインジケータを認識しないか、ＰＵＡをサポートしないか、利用可能なＳＡＳを有しないか、あるいは他の理由のために要求元ＨＮＢのためのＰＵＡをサポートしたがらないかまたはサポートできない場合、ＨＮＢ−ＧＷは、（例えば、ブロック７０４において送信される）ＨＮＢ登録受付メッセージ中にＨＮＢ−ＧＷ  ＰＵＡサポートインジケータを含めないことがあるか、またはＰＵＡがサポートされないという指示を含めることがある。
【００３６】
[00044]  一実施形態によれば、ＨＮＢが、（例えば、ブロック６０４において受信されたＨＮＢ登録受付メッセージ中で）ＨＮＢ−ＧＷ  ＰＵＡサポートインジケータを含む登録応答メッセージを受信した場合、ＨＮＢは、ＨＮＢ−ＧＷがＰＵＡを介したＰＣＡＰトランスポートをサポートすると見なし得る。ＨＮＢは、次いで、必要な場合、（例えば、図４に示されるように）ＰＵＡを介したＰＣＡＰトランザクションを開始し得る。ＨＮＢが、ブロック６０４においてＨＮＢ−ＧＷ  ＰＵＡサポートインジケータを受信しないか、またはブロック６０４においてＨＮＢ−ＧＷがＰＵＡをサポートしないという指示を受信した場合、ＨＮＢは、ＨＮＢ−ＧＷがＰＵＡ転送をサポートしないと仮定し得、ＨＮＢ−ＧＷを介したＰＣＡＰ測位を呼び出すことを控え得る（例えば、図４に示されるメッセージを呼び出すことを控え得る）。
【００３７】
[00045]  このプロセスに従うことによって、ＨＮＢデバイスは、それが、（例えばＨＭＳからの）構成または試行錯誤なしに、ＨＮＢ−ＧＷを介してＳＡＳとのＰＣＡＰトランザクションを開始することが可能であるかどうかを発見し得る。これは、上記で説明したようにＨＮＢ登録プロセスにおいて単純な様式で達成され得る。異なるゲートウェイは異なる能力を有し得、ＨＮＢがＰＵＡシグナリングを使用すべきかどうかをアプリオリに知っているであろうことが予想されない。さらに、ＨＮＢ−ＧＷが正しい能力を有する場合でも、それはＳＡＳへの動作接続を有しないことがあり、それはまた、図５〜図７（例えば、ＨＮＢ−ＧＷによって応答が送られない）に例示される交換によってサポートされる。
【００３８】
[00046]  （図５〜図７に関連して）上記で説明した特定の実現形態は、（例えば３ＧＰＰリリース１２より前の）レガシーＨＮＢ−ＧＷにほとんどまたはまったく影響を及ぼさないことがあり、ＰＵＡをサポートしない（例えば３ＧＰＰリリース１２以降の）レガシーでないＨＮＢ−ＧＷに小さい影響を及ぼすにすぎないことがある。第１の場合に（すなわち、レガシーＨＮＢ−ＧＷの場合）、ＨＮＢ−ＧＷは、ＨＮＢ  ＰＵＡサポートインジケータを理解しないことがあり、従って、ＨＮＢ−ＧＷは、ＨＮＢ−ＧＷ  ＰＵＡサポートインジケータを含むことなしに（例えば、ＨＮＢＡＰ：ＨＮＢ登録受付メッセージを送信することで）応答することがある。第２の場合に、ＨＮＢ−ＧＷは、ＨＮＢから送信されたＨＮＢ登録要求メッセージ中のＨＮＢ  ＰＵＡサポートインジケータを読み取るが、単にそれ自体のインジケータを含まない（例えば、レガシーＨＮＢ−ＧＷと同じように働く）ことがある。ＨＮＢデバイスの観点から、ＨＮＢ−ＧＷの挙動は、どちらの場合も同じに見えることがある。
【００３９】
[00047]  図５〜図７をサポートする特定の実現形態の別の利点は、ＨＮＢ−ＧＷが、ＨＮＢ−ＧＷを介して利用可能であり得るＳＡＳの数、それらのローカルＩＤ、およびＳＡＳまたは各ＳＡＳによってサポートされる測位能力など、ＨＮＢに他の情報を（例えば、ＨＮＢＡＰ  ＨＮＢ登録受付において）返し得ることである。ＨＮＢ−ＧＷは、ＨＮＢが異なるタイプのロケーションサポートを要求するためにＳＡＳに送られたいくつかのＰＣＡＰメッセージ中に含め得る、国際モバイル加入者識別情報（ＩＭＳＩ）または国際モバイル機器識別情報（ＩＭＥＩ）値を備える予約済み識別情報をＨＮＢにさらに返し得る。予約済みＩＭＳＩまたはＩＭＥＩ値が含まれ得るＰＣＡＰメッセージは、（ｉ）ＵＥのまたはＨＮＢのロケーションのＳＡＳによる計算を要求するために、ＨＮＢによって送られた、ＰＣＡＰ位置計算要求メッセージと、（ｉｉ）ＵＥのまたはＨＮＢの測位をサポートするために、ＳＡＳからの支援データのプロビジョンを要求するために、ＨＮＢによって送られた、ＰＣＡＰ情報交換開始要求と、（ｉｉｉ）ＵＥまたはＨＮＢを測位するのを助けるために、ＳＡＳによる１つまたは複数の測位方法の呼出しを要求するために、ＨＮＢによって送られた、ＰＣＡＰ位置開始要求とを備え得る。予約済みＩＭＳＩまたはＩＭＥＩ値は、ＨＮＢによって送られたＰＣＡＰメッセージが、（Ａ）（例えばＵＥを測位するために）ＨＮＢによって送られた、あるいは（Ｂ）移動局またはＵＥを測位するかまたは測位するのを助けるためにではなく、ＨＮＢ自体を測位するかまたは測位するのを助けるために、ＨＮＢによって送られたことをＳＡＳに対して識別し得る。いくつかの実現形態では、予約済みＩＭＳＩまたはＩＭＥＩ値の特定の解釈（例えば上記の（Ａ）が暗示されるのか（Ｂ）が暗示されるのか）は、（例えば３ＧＰＰによって）固定され、規格化され得、ＨＮＢとＳＡＳの両方に知られ得る。
【００４０】
[00048]  代替実現形態では、ＨＮＢデバイスが、（例えば、ＨＮＢ管理システム（ＨＭＳ）からの）オペレーション、アドミニストレーション、メンテナンスおよびプロビジョニング（ＯＡＭ＆Ｐ）システムによって、ＨＮＢ−ＧＷのためのＰＣＡＰ転送およびＰＵＡをサポートするＨＮＢ−ＧＷ能力並びに／またはＨＮＢ−ＧＷのためのＳＡＳ構成を通知され得る。ＨＮＢのための構成サーバ（例えば、ＨＭＳ）は、次いで、ＨＮＢにおいてＨＮＢ−ＧＷに関する正しい最新の情報を構成するために、（構成変更、ＳＡＳ接続変更などに起因する更新に関することを含めて）ＨＮＢ−ＧＷのための任意の構成サーバと通信している必要があり得る。
【００４１】
[00049]  別の代替実現形態では、本明細書で前に説明したように、ＨＮＢ−ＧＷのＰＵＡ能力を決定するために、ＨＮＢデバイスによって試行錯誤が使用され得、それにより、ＨＮＢは、応答が来つつあるかどうか、従ってＨＮＢ−ＧＷがＰＵＡをサポートするか否かを見つけ出すために、ＨＮＢ−ＧＷにＰＵＡメッセージを送る。しかしながら、ＰＵＡメッセージが多くの理由のために失われ得るので、これはＨＮＢ−ＧＷがＰＵＡをサポートするかどうかを決定するための信頼できない技法であり得、多くのＨＮＢが同じソリューションを呼び出している場合、ＨＮＢ−ＧＷのための負荷問題につながり得る。さらに、この技法を呼び出すことは、ＭＳＣまたはＳＧＳＮによって送られたＵＥ測位要求についてのＨＮＢによる応答を遅延させ得る。その上、レガシーＨＮＢ−ＧＷは、ＰＵＡプロトコルがＨＮＢ−ＧＷによって認識されないことがあるので、受信されたＰＵＡメッセージを無視することがある。さらに、ＰＵＡをサポートするが動作可能なＳＡＳを有しないＨＮＢ−ＧＷは、ＨＮＢからの受信されたＰＵＡメッセージに応答することもしないこともある（例えば、ＰＵＡエラー指示で応答することがある）。さらに、ＨＮＢからのＰＵＡ要求に対するＨＮＢ−ＧＷによる応答がないことは、トランスポートの欠如よりもむしろ要求の詳細に起因し得、ＨＮＢは再び試み得る。全体として、試行錯誤を使用する実現形態は、ＨＮＢにおける発見機構のより複雑な設計を伴い得る。
【００４２】
[00050]  図８は、ネットワーク要素１１００の概略図である。ネットワーク要素１１００はＨＮＢであり得、それは、一実施形態によれば、図１中のフェムトセル１１０、図２、図３、図４および図５の場合のようなＨＮＢまたは図６のプロセスを行うＨＮＢに対応し得る。ネットワーク要素１１００はまた、ＨＮＢ−ＧＷであり得、それは、一実施形態によれば、図２、図３、図４および図５の場合のようなＨＮＢ−ＧＷまたは図７のプロセスを行うＨＮＢ−ＧＷに対応し得る。ネットワーク要素１１００は、図２〜図７に関連して示し、説明した（例えば、ＨＮＢデバイスまたはＨＮＢ−ＧＷデバイスを与える）ＨＮＢまたはＨＮＢ−ＧＷの１つまたは複数の特徴を含み得る。いくつかの実施形態で、ネットワーク要素１１００は、ワイヤレス通信ネットワーク上でワイヤレスアンテナ１１２２を介してワイヤレス信号１１２３を送信および受信することが可能であるワイヤレストランシーバ１１２１を備え得る。ワイヤレストランシーバ１１２１は、ワイヤレストランシーババスインターフェース１１２０によってバス１１０１に接続され得る。ワイヤレストランシーババスインターフェース１１２０は、いくつかの実施形態で、ワイヤレストランシーバ１１２１と少なくとも部分的に統合され得る。いくつかの実施形態は、例えば、ほんの数例を挙げると、ＩＥＥＥ規格８０２．１１のバージョン、ＣＤＭＡ、ＷＣＤＭＡ、ＬＴＥ、ＵＭＴＳ、ＧＳＭ、ＡＭＰＳ、Ｚｉｇｂｅｅ（登録商標）およびＢｌｕｅｔｏｏｔｈなど、対応する複数のワイヤレス通信規格に従って、信号を送信することおよび／または受信することを可能にするために、複数のワイヤレストランシーバ１１２１とワイヤレスアンテナ１１２２とを含み得る。ワイヤレストランシーバ１１２１は、ネットワーク要素１１００が１つまたは複数のＵＥとワイヤレス通信することを可能にし得、例えば、ネットワーク要素１１００が、１つまたは複数のＵＥをサポートすることによってＨＮＢとして働くことを可能にし得る。
【００４３】
[00051]  ネットワーク要素１１００は、衛星測位システム（ＳＰＳ）アンテナ１１５８を介してＳＰＳ信号１１５９を受信および収集することが可能なＳＰＳ受信機１１５５をも備え得る。ＳＰＳ受信機１１５５はまた、ネットワーク要素１１００のロケーションを推定するために、収集されたＳＰＳ信号１１５９を全体的にまたは部分的に処理し得る。いくつかの実施形態で、（１つまたは複数の）汎用プロセッサ１１１１、メモリ１１４０、（１つまたは複数の）ＤＳＰ１１１２および／または専用プロセッサ（図示せず）も、ＳＰＳ受信機１１５５とともに、収集されたＳＰＳ信号を全体的にまたは部分的に処理し、および／あるいはネットワーク要素１１００の推定ロケーションを計算するために利用され得る。測位動作を行う際に使用するためのＳＰＳまたは他の信号（例えば、ワイヤレストランシーバ１１２１から収集された信号）の記憶は、メモリ１１４０またはレジスタ（図示せず）中で行われ得る。その場合、（１つまたは複数の）汎用プロセッサ１１１１、メモリ１１４０、（１つまたは複数の）ＤＳＰ１１１２および／または専用プロセッサは、ネットワーク要素１１００のロケーションまたは（例えばネットワーク要素１１００がＨＮＢデバイス４０２または５０２などのＨＮＢデバイスである場合）ネットワーク要素１１００によってサービスされるＵＥのロケーションを推定するための測定値を処理する際に使用するための測位機能を与えるかまたはサポートし得る。
【００４４】
[00052]  図８はまた、ネットワーク要素１１００がネットワークトランシーバ１１９０を備え得ることを示している。ネットワークトランシーバ１１９０は、ワイヤライン手段によってＳＡＳなどの他のリモートエンティティとのネットワーク要素１１００の通信を可能にし得る（図８に示されていない）１つまたは複数のリンクによって、（例えば図１中のネットワーク１３０に対応する）外部ネットワークに接続され得る。一例として、ＨＮＢに対応するネットワーク要素１１００は、それぞれのネットワークトランシーバ１１９０を介して各ネットワーク要素１１００によってアクセスされるネットワーク（例えばインターネット）を介して、ＨＮＢ−ＧＷに対応する別のネットワーク要素１１００と通信し得る。ネットワークトランシーバ１１９０は、同じくまたは代わりに、（例えばネットワークを介さずに）１つまたは複数の他のエンティティとの直接通信を可能にする１つまたは複数のリンクに接続され得る。
【００４５】
[00053]  また、図８に示される、ネットワーク要素１１００は、（例えば直接またはバスインターフェース１１１０によって）バス１１０１に接続された（１つまたは複数の）デジタル信号プロセッサ（（１つまたは複数の）ＤＳＰ）１１１２と、（例えば直接またはバスインターフェース１１１０によって）バス１１０１に接続された（１つまたは複数の）汎用プロセッサ１１１１と、メモリ１１４０とを備え得る。バスインターフェース１１１０は、（１つまたは複数の）ＤＳＰ１１１２、（１つまたは複数の）汎用プロセッサ１１１１およびメモリ１１４０と統合され得る。様々な実施形態では、ほんの数例を挙げると、ＲＡＭ、ＲＯＭ、ＰＲＯＭ、ＦＬＡＳＨ、またはディスクドライブなど、コンピュータ可読記憶媒体上になど、メモリ１１４０に記憶された１つまたは複数の機械可読命令の実行に応答して、機能が行われ得る。例えば、１つまたは複数の命令は、ネットワーク要素１１００が、図４〜図８に関連して説明した実施形態のうちの１つまたは複数を行うことを可能にし得る。１つまたは複数の命令は、（１つまたは複数の）汎用プロセッサ１１１１、専用プロセッサ、または（１つまたは複数の）ＤＳＰ１１１２によって実行可能であり得る。メモリ１１４０は、本明細書で説明した機能を行うために（１つまたは複数の）プロセッサ１１１１および／または（１つまたは複数の）ＤＳＰ１１１２によって実行可能であるソフトウェアコード（プログラミングコード、命令など）を記憶する非一時的プロセッサ可読メモリおよび／またはコンピュータ可読メモリを備え得る。
【００４６】
[00054]  また、図８に示される、ユーザインターフェース１１３５は、例えば、ほんの数例を挙げると、スピーカー、マイクロフォン、ディスプレイデバイス、キーボード、およびタッチスクリーンなど、いくつかのデバイスのうちのいずれか１つを備え得る。ユーザインターフェース１１３５は、代わりに、ＴＣＰ／ＩＰまたは他の手段を介してリモートユーザ（例えばＨＭＳにアクセスするユーザ）にサポートされ得る。特定の実現形態で、ユーザインターフェース１１３５は、ユーザまたはＨＭＳなどのＯＡＭ＆Ｐシステムが、ネットワーク要素１１００上にホストされた１つまたは複数のアプリケーションと対話することを可能にし得る。例えば、ユーザインターフェース１１３５のデバイスは、ユーザからのアクションに応答して（１つまたは複数の）ＤＳＰ１１１２または汎用プロセッサ１１１１によってさらに処理されるべきアナログ信号またはデジタル信号をメモリ１１４０に記憶し得る。同様に、ネットワーク要素１１００上にホストされたアプリケーションは、出力信号をユーザに提示するためにアナログ信号またはデジタル信号をメモリ１１４０に記憶し得る。
【００４７】
[00055]  ネットワーク要素１１００は、例えば、ほんの数例を挙げると、温度センサー、気圧センサー、周辺光センサー、カメライメージャ、マイクロフォンなど、環境センサー１１６０をも備え得る。センサー１１６０は、メモリ１１４０に記憶され、例えば、測位またはナビゲーション動作を意図するアプリケーションなどの１つまたは複数のアプリケーションをサポートする（１つまたは複数の）ＤＰＳ１１１２または汎用アプリケーションプロセッサ１１１１によって処理され得るアナログ信号またはデジタル信号を生成し得る。センサー１１６０は、ネットワーク要素１１００のロケーションを決定するのを助けるために、および／あるいはＵＥのロケーションを決定するのを支援するためにＨＭＳ、ＳＡＳまたはＵＥに情報を与えるために、使用され得る。
【００４８】
[00056]  特定の実現形態では、ネットワーク要素１１００は、ワイヤレストランシーバ１１２１またはＳＰＳ受信機１１５５において受信され、ダウンコンバートされた信号のベースバンド処理を行うことが可能な専用モデムプロセッサ１１６６を備え得る。同様に、モデムプロセッサ１１６６は、ワイヤレストランシーバ１１２１による送信のためにアップコンバートされるべき信号のベースバンド処理を行い得る。代替実現形態では、専用モデムプロセッサを有する代わりに、ベースバンド処理が汎用プロセッサまたはＤＳＰ（例えば、汎用／アプリケーションプロセッサ１１１１または（１つまたは複数の）ＤＳＰ１１１２）によって行われ得る。但し、これらはベースバンド処理を行い得る構造の例にすぎず、請求する主題はこの点について限定されないことを理解されたい。
【００４９】
[00057]  図８に示されるおよび上記で説明した全ての構成要素が必ずしも存在するとは限らないことに留意されたい。例えば、ＨＮＢ−ＧＷに対応するネットワーク要素１１００は、ワイヤレストランシーバ１１２１、アンテナ１１２２および１１５８並びに／またはＳＰＳ受信機１１５５を有しないことがある。
【００５０】
[00058]  図９は、例えば、図１〜図７に関して上記で説明した技法またはプロセスを実現するように構成可能な１つまたは複数のデバイスを含み得る例示的なシステム１２００を示す概略図である。システム１２００は、例えば、ワイヤレス通信ネットワーク１２０８を通して互いに動作可能に結合され得る第１のデバイス１２０２と、第２のデバイス１２０４と、第３のデバイス１２０６とを含み得る。一態様で、第１のデバイス１２０２は、例えば、基地局アルマナックなど、測位支援データを与えることが可能な、および／またはＰＣＡＰを使用した他の測位サポートを与えることが可能な、ＳＡＳ（例えば図２中のＳＡＳ２１０または図４中のＳＡＳ４０６）などのサーバを備え得る。また、一態様で、ワイヤレス通信ネットワーク１２０８は、例えば、１つまたは複数のワイヤレスアクセスポイントを備え得、図１中のネットワーク１３０に対応し得る。但し、請求する主題はこれらの点について範囲が限定されない。第２のデバイス１２０４は、（例えば、図２〜図５の場合のように）ＨＮＢ−ＧＷを備え得、第３のデバイス１２０６は、（例えば、図２〜図５の場合のように）ＨＮＢを備え得る。
【００５１】
[00059]  図９に示される第１のデバイス１２０２、第２のデバイス１２０４および第３のデバイス１２０６は、ワイヤレス通信ネットワーク１２０８を介してデータを交換するように構成可能であり得る、（例えば、図１に示されるローカルトランシーバ１１５、セルラートランシーバ１１２、サーバ１４０、１５０または１５５、あるいは図２〜図５中のＨＮＢまたはＨＮＢ−ＧＷなど）任意のデバイス、アプライアンスまたは機械をさらに表し得る。限定ではなく例として、第１のデバイス１２０２、第２のデバイス１２０４、または第３のデバイス１２０６のいずれも、例えば、デスクトップコンピュータ、ラップトップコンピュータ、ワークステーション、サーバデバイスなど、１つまたは複数の算出デバイスまたはプラットフォーム、例えば、携帯情報端末、モバイル通信デバイスなどの、１つまたは複数のパーソナル算出または通信デバイスまたはアプライアンス、例えば、データベースまたはデータ記憶サービスプロバイダ／システム、ネットワークサービスプロバイダ／システム、インターネットまたはイントラネットサービスプロバイダ／システム、ポータルまたは検索エンジンサービスプロバイダ／システム、ワイヤレス通信サービスプロバイダ／システムなど、算出システムまたは関連するサービスプロバイダ機能、あるいはそれらの任意の組合せを含み得る。第１のデバイス１２０２、第２のデバイス１２０４、および第３のデバイス１２０６のいずれも、本明細書で説明する例による基地局アルマナックサーバ、基地局、フェムトセル、またはモバイルデバイスのうちの１つまたは複数を備え得る。
【００５２】
[00060]  同様に、ワイヤレス通信ネットワーク１２０８は、第１のデバイス１２０２、第２のデバイス１２０４、および第３のデバイス１２０６のうちの少なくとも２つの間でのデータの交換をサポートするように構成可能な１つまたは複数の通信リンク、プロセス、またはリソースを表し得る。限定ではなく例として、ワイヤレス通信ネットワーク１２０８は、ワイヤレスまたはワイヤード通信リンク、電話または電気通信システム、データバスまたはチャネル、光ファイバー、地上またはスペースビークルリソース、ローカルエリアネットワーク、ワイドエリアネットワーク、イントラネット、インターネット、ルータまたはスイッチなど、あるいはそれらの任意の組合せを含み得る。例えば、第３のデバイス１２０６によって部分的に不明瞭にされたものとして示される破線ボックスによって示されるように、ワイヤレス通信ネットワーク１２０８に動作可能に結合された追加の同様のデバイスがあり得る。
【００５３】
[00061]  システム１２００に示される様々なデバイスおよびネットワーク、並びに本明細書でさらに説明するプロセスおよび方法の全部または一部は、ハードウェア、ファームウェア、ソフトウェア、またはそれらの任意の組合せを使用して、またはさもなければ含めて実現され得ることを認識されたい。
【００５４】
[00062]  従って、限定ではなく例として、第２のデバイス１２０４は、バス１２２８を介してメモリ１２２２に動作可能に結合された少なくとも１つの処理ユニット１２２０を含み得る。
【００５５】
[00063]  処理ユニット１２２０は、データ算出手順またはプロセスの少なくとも一部分を行うように構成可能な１つまたは複数の回路を表す。限定ではなく例として、処理ユニット１２２０は、１つまたは複数のプロセッサ、コントローラ、マイクロプロセッサ、マイクロコントローラ、特定用途向け集積回路、デジタル信号プロセッサ、プログラマブル論理デバイス、フィールドプログラマブルゲートアレイなど、またはそれらの任意の組合せを含み得る。
【００５６】
[00064]  メモリ１２２２は何らかのデータ記憶機構を表す。メモリ１２２２は、例えば、１次メモリ１２２４または２次メモリ１２２６を含み得る。１次メモリ１２２４は、例えば、ランダムアクセスメモリ、読取り専用メモリなどを含み得る。この例では処理ユニット１２２０とは別個であるものとして示されるが、１次メモリ１２２４の全部または一部は、処理ユニット１２２０内に設けられるか、またはさもなければ処理ユニット１２２０と共設／結合され得ることを理解されたい。
【００５７】
[00065]  特定の実現形態では、屋内エリアのデジタルマップが、メモリ１２２２に特定のフォーマットで記憶され得る。処理ユニット１２２０は、デジタルマップに示された構造の外周によって画定された構成要素エリアを識別し、分類するために、記憶されたデジタルマップを処理するための命令を実行し得る。上記で指摘したように、これらの実行される命令は、構成要素エリアを画定する外周を形成する構造中の出口セグメントを識別し、特徴づけることと、画定された構成要素エリアの少なくとも１つの次元のサイズに対する少なくとも１つの識別された出口セグメントのサイズの比例に少なくとも部分的に基づいて、画定された構成要素エリアを分類することとを指定し得る。
【００５８】
[00066]  ２次メモリ１２２６は、例えば、１次メモリ１２２４と同じまたは同様のタイプのメモリ、あるいは、例えば、ディスクドライブ、光ディスクドライブ、テープドライブ、ソリッドステートメモリドライブなど、１つまたは複数のデータストレージデバイスまたはシステムを含み得る。いくつかの実現形態では、２次メモリ１２２６が、コンピュータ可読媒体１２４０を動作可能に受容可能であるか、またはさもなければそれに結合するように構成可能であり得る。コンピュータ可読媒体１２４０は、例えば、システム１２００内のデバイスのうちの１つまたは複数のためにデータ、コードまたは命令を担持するかアクセス可能にできる任意の非一時的媒体を含み得る。コンピュータ可読媒体１２４０は記憶媒体と呼ばれることもある。
【００５９】
[00067]  第２のデバイス１２０４は、例えば、少なくともワイヤレス通信ネットワーク１２０８への第２のデバイス１２０４の動作可能な結合を与えるか、またはさもなければそれをサポートする通信インターフェース１２３０を含み得る。限定ではなく例として、通信インターフェース１２３０は、ネットワークインターフェースデバイスまたはカード、モデム、ルータ、スイッチ、トランシーバなどを含み得る。
【００６０】
[00068]  第２のデバイス１２０４は、例えば、入出力デバイス１２３２を含み得る。入出力デバイス１２３２は、人間または機械の入力を受け付けるか、またはさもなければそれを導入するように構成可能であり得る１つまたは複数のデバイスまたは特徴、あるいは人間または機械の出力を配信するか、またはさもなければそれを与えるように構成可能であり得る１つまたは複数のデバイスまたは特徴を表す。限定ではなく例として、入出力デバイス１２３２は、動作可能に構成されたディスプレイ、スピーカー、キーボード、マウス、トラックボール、タッチスクリーン、データポートなどを含み得る。
【００６１】
[00069]  本明細書で説明した方法は、特定の例に従って適用例に応じて様々な手段によって実現され得る。例えば、そのような方法は、ハードウェア、ファームウェア、ソフトウェア、またはそれらの組合せで実現され得る。ハードウェア実現形態では、例えば、処理ユニットが、１つまたは複数の特定用途向け集積回路（「ＡＳＩＣ」）、デジタル信号プロセッサ（「ＤＳＰ」）、デジタル信号処理デバイス（「ＤＳＰＤ」）、プログラマブル論理デバイス（「ＰＬＤ」）、フィールドプログラマブルゲートアレイ（「ＦＰＧＡ」）、プロセッサ、コントローラ、マイクロコントローラ、マイクロプロセッサ、電子デバイス、本明細書で説明した機能を行うように設計された他のデバイスユニット、またはそれらの組合せで実現され得る。
【００６２】
[00070]  本明細書に含まれる詳細な説明のいくつかの部分は、特定の装置あるいは専用コンピューティングデバイスまたはプラットフォームのメモリ内に記憶された２値デジタル信号に対する演算のアルゴリズムまたは記号表現に関して提示されている。この特定の明細書のコンテキストでは、特定の装置などの用語が、プログラムソフトウェアからの命令に従って特定の動作を行うようにプログラムされた後の汎用コンピュータを含む。アルゴリズム記述または記号表現は、信号処理または関連技術の当業者によって、自身の仕事の本質を他の当業者に伝達するために使用される技法の例である。アルゴリズムは、本明細書で、および一般に、所望の結果をもたらす自己無撞着な一連の演算または同様の信号処理であると考えられる。このコンテキストでは、演算または処理が物理量の物理的操作を伴う。一般に、必ずしもそうとは限らないが、そのような量は、記憶、転送、結合、比較、または他の方法で操作されることが可能な電気信号または磁気信号の形態をとり得る。主に一般的な用法という理由で、そのような信号をビット、データ、値、要素、記号、文字、項、数、数字などと呼ぶことが時々便利であることがわかっている。但し、これらまたは同様の用語の全ては、適切な物理量に関連付けられるべきであり、便宜的なラベルにすぎないことを理解されたい。別段に明記されていない限り、本明細書の説明から明らかなように、本明細書全体にわたって、「処理する」、「算出する（computing）」、「計算する（calculating）」、「決定する」などの用語を利用する説明は、専用コンピュータ、専用コンピューティング装置または同様の専用電子コンピューティングデバイスなど、特定の装置の動作またはプロセスを指すことを諒解されたい。従って、本明細書のコンテキストでは、専用コンピュータまたは同様の専用電子コンピューティングデバイスが、専用コンピュータまたは同様の専用電子コンピューティングデバイスのメモリ、レジスタ、または他の情報記憶デバイス、送信デバイス、またはディスプレイデバイス内の、電子的または磁気的な物理量として一般に表される信号を操作または変換することが可能である。
【００６３】
[00071]  本明細書で説明したワイヤレス通信技法は、ワイヤレスワイドエリアネットワーク（「ＷＷＡＮ」）、ワイヤレスローカルエリアネットワーク（「ＷＬＡＮ」）、ワイヤレスパーソナルエリアネットワーク（ＷＰＡＮ）などの様々なワイヤレス通信ネットワークに関連し得る。「ネットワーク」および「システム」という用語は、本明細書では互換的に使用され得る。ＷＷＡＮは、符号分割多元接続（「ＣＤＭＡ」）ネットワーク、時分割多元接続（「ＴＤＭＡ」）ネットワーク、周波数分割多元接続（「ＦＤＭＡ」）ネットワーク、直交周波数分割多元接続（「ＯＦＤＭＡ」）ネットワーク、シングルキャリア周波数分割多元接続（「ＳＣ−ＦＤＭＡ」）ネットワーク、または上記のネットワークの任意の組合せなどであり得る。ＣＤＭＡネットワークは、ほんのいくつかの無線技術を挙げれば、ｃｄｍａ２０００、広帯域ＣＤＭＡ（「ＷＣＤＭＡ」）などの１つまたは複数の無線アクセス技術（「ＲＡＴ」）を実現し得る。ここで、ｃｄｍａ２０００は、ＩＳ−９５規格、ＩＳ−２０００規格、およびＩＳ−８５６規格に従って実現される技術を含み得る。ＴＤＭＡネットワークは、モバイル通信用グローバルシステム（「ＧＳＭ」）、デジタルアドバンストモバイルフォンシステム（「Ｄ−ＡＭＰＳ」）、または何らかの他のＲＡＴを実現し得る。ＧＳＭおよびＷＣＤＭＡは、「第３世代パートナーシッププロジェクト」（「３ＧＰＰ」）と称する団体からの文書に記載されている。ｃｄｍａ２０００は、「第３世代パートナーシッププロジェクト２」（「３ＧＰＰ２」）と称する団体からの文書に記載されている。３ＧＰＰおよび３ＧＰＰ２文書は公開されている。４Ｇロングタームエボリューション（「ＬＴＥ」）通信ネットワークも、一態様において、請求する主題に従って実現され得る。ＷＬＡＮはＩＥＥＥ８０２．１１ｘネットワークを備え得、ＷＰＡＮは、例えば、Ｂｌｕｅｔｏｏｔｈネットワーク、ＩＥＥＥ８０２．１５ｘを備え得る。本明細書で説明したワイヤレス通信実現形態はまた、ＷＷＡＮ、ＷＬＡＮまたはＷＰＡＮの任意の組合せとともに使用され得る。
【００６４】
[00072]  別の態様では、前述のように、ワイヤレス送信機またはアクセスポイントが、セルラー電話サービスを会社または家庭に延長するために利用されるフェムトセルを備え得る。そのような実現形態では、１つまたは複数のモバイルデバイスが、例えば、符号分割多元接続（「ＣＤＭＡ」）またはＷＣＤＭＡセルラー通信プロトコルを介してフェムトセルと通信し得、フェムトセルは、インターネットなどの別のブロードバンドネットワークを介してより大きいセルラー電気通信ネットワークへのアクセスをモバイルデバイスに与え得る。
【００６５】
[00073]  本明細書で使用する「および」、および「または」という用語は、それが使用されるコンテキストに少なくとも部分的に依存する様々な意味を含み得る。一般に、「または」がＡ、ＢまたはＣなどのリストを関連付けるために使用される場合、ここで包含的な意味で使用されるＡ、Ｂ、およびＣを意味し、並びにここで排他的な意味で使用されるＡ、Ｂ、またはＣを意味するものとする。本明細書全体にわたる「一例」または「例」への言及は、その例に関して説明する特定の特徴、構造、または特性が、請求する主題の少なくとも１つの例の中に含まれることを意味する。従って、本明細書全体にわたる様々な箇所における「一例では」または「例」という句の出現は、必ずしも全てが同じ例を指すとは限らない。さらに、それらの特定の特徴、構造、または特性は、１つまたは複数の例において組み合わせられ得る。本明細書で説明した例は、デジタル信号を使用して動作する機械、デバイス、エンジン、または装置を含み得る。そのような信号は、電子信号、光信号、電磁信号、またはロケーション間で情報を与える任意の形態のエネルギーを備え得る。
【００６６】
[00074]  現在例示的な特徴と考えられることについて例示し説明したが、請求する主題から逸脱することなく、様々な他の変形が為され得、均等物が代用され得ることが、当業者には理解されよう。さらに、本明細書で説明した中心概念から逸脱することなく、請求する主題の教示に特定の状況を適合させるために多くの変形を為し得る。従って、請求する主題は、開示された特定の例に限定されず、そのような請求する主題はまた、添付の特許請求の範囲内に入る全ての態様とそれらの均等物とを含み得るものとする。
【図１】
2017510152.tif 000002
【図２】
2017510152.tif 000003
【図３】
2017510152.tif 000004
【図４】
2017510152.tif 000005
【図５】
2017510152.tif 000006
【図６】
2017510152.tif 000007
【図７】
2017510152.tif 000008
【図８】
2017510152.tif 000009
【図９】
2017510152.tif 000010
【手続補正書】
【提出日】平成28年10月13日(2016.10.13)
【手続補正１】
【補正対象書類名】特許請求の範囲
【補正対象項目名】全文
【補正方法】変更
【補正の内容】
【特許請求の範囲】
【請求項１】
ホームノードＢ（ＨＮＢ）を備えるフェムトセルトランシーバデバイスにおける方法であって、
ポジショニング計算アプリケーションパート（ＰＣＡＰ）ユーザ適応（ＰＵＡ）を介したＰＣＡＰトランスポートのサポートを要求する１つまたは複数のパラメータを備える第１のメッセージをＨＮＢゲートウェイ（ＨＮＢ−ＧＷ）に送信することと、
前記第１のメッセージに応答した前記ＨＮＢ  ＧＷからの、前記ＨＮＢ−ＧＷがＰＵＡメッセージをサポートすることが可能であるかどうかを示す第２のメッセージを受信することと
を備える、方法。
【請求項２】
前記第２のメッセージは、前記ＨＮＢ−ＧＷがＰＵＡメッセージをサポートしないことを示す、請求項１に記載の方法。
【請求項３】
前記第２のメッセージが、ＰＵＡサポートに関係するパラメータを備えない、請求項２に記載の方法。
【請求項４】
前記第１のメッセージが、ホームノードＢアプリケーションパート（ＨＮＢＡＰ）ＨＮＢ登録要求メッセージを備える、請求項１に記載の方法。
【請求項５】
前記第２のメッセージが、ＨＮＢＡＰ  ＨＮＢ登録受付メッセージを備える、請求項１に記載の方法。
【請求項６】
前記第２のメッセージは、前記ＨＮＢ−ＧＷがＰＵＡメッセージをサポートすることが可能であることを示す１つまたは複数のパラメータを備える、請求項１に記載の方法。
【請求項７】
前記ＨＮＢ−ＧＷがＰＵＡメッセージをサポートすることが可能であることを示す前記１つまたは複数のパラメータに少なくとも部分的に基づいて、前記ＨＮＢ−ＧＷにＰＵＡメッセージを送信することを始動することをさらに備える、請求項６に記載の方法。
【請求項８】
前記ＨＮＢＡＰ  ＨＮＢ登録受付メッセージが、利用可能なロケーションサーバを示す１つまたは複数のパラメータをさらに備える、請求項５に記載の方法。
【請求項９】
前記利用可能なロケーションサーバを示す前記１つまたは複数のパラメータが、サーバ識別情報と、各サーバによってサポートされる測位方法のリストとを備える、請求項８に記載の方法。
【請求項１０】
前記ＨＮＢＡＰ  ＨＮＢ登録受付メッセージが、少なくとも１つの測位動作において前記ＨＮＢによって使用されるべき、予約済み国際モバイル加入者識別情報（ＩＭＳＩ）値または予約済み国際モバイル機器識別情報（ＩＭＥＩ）値をさらに備える、請求項５に記載の方法。
【請求項１１】
前記少なくとも１つの測位動作が、ユーザ機器デバイスのためのロケーション推定値の決定を備える、請求項１０に記載の方法。
【請求項１２】
前記少なくとも１つの測位動作が、前記ＨＮＢのためのロケーション推定値の決定を備える、請求項１０に記載の方法。
【請求項１３】
前記少なくとも１つの測位動作が、測位支援データを与えることを備える、請求項１０に記載の方法。
【請求項１４】
前記予約済みＩＭＳＩまたはＩＭＥＩ値を含むＰＣＡＰ位置計算要求メッセージを前記ＨＮＢ−ＧＷに送信することをさらに備える、請求項１０に記載の方法。
【請求項１５】
前記予約済みＩＭＳＩまたはＩＭＥＩ値を含むＰＣＡＰ情報交換開始要求メッセージを前記ＨＮＢ−ＧＷに送信することをさらに備える、請求項１０に記載の方法。
【請求項１６】
前記予約済みＩＭＳＩまたはＩＭＥＩ値を含むＰＣＡＰ位置開始要求メッセージを前記ＨＮＢ−ＧＷに送信することをさらに備える、請求項１０に記載の方法。
【請求項１７】
ホームノードＢ（ＨＮＢ）デバイスとして構成されたフェムトセルトランシーバデバイスであって、
データ通信ネットワークにメッセージを送信し、そこからメッセージを受信するためのネットワークアダプタと、
ポジショニング計算アプリケーションパート（ＰＣＡＰ）ユーザ適応（ＰＵＡ）を介したＰＣＡＰトランスポートのサポートを要求する１つまたは複数のパラメータを備える第１のメッセージのＨＮＢゲートウェイ（ＨＮＢ−ＧＷ）への送信を開始することと、
前記第１のメッセージに応答した前記ＨＮＢ  ＧＷからの前記ネットワークアダプタにおいて受信された、前記ＨＮＢ−ＧＷがＰＵＡメッセージをサポートすることが可能であるかどうかを示す第２のメッセージを取得することと
を行うための１つまたは複数のプロセッサと
を備える、フェムトセルトランシーバデバイス。
【請求項１８】
前記第２のメッセージは、前記ＨＮＢ−ＧＷがＰＵＡメッセージをサポートしないことを示す、請求項１７に記載のフェムトセルトランシーバデバイス。
【請求項１９】
前記第２のメッセージが、ＰＵＡサポートに関係するパラメータを備えない、請求項１８に記載のフェムトセルトランシーバデバイス。
【請求項２０】
前記第１のメッセージが、ホームノードＢアプリケーションパート（ＨＮＢＡＰ）ＨＮＢ登録要求メッセージを備える、請求項１７に記載のフェムトセルトランシーバデバイス。
【請求項２１】
前記第２のメッセージが、ＨＮＢＡＰ  ＨＮＢ登録受付メッセージを備える、請求項１７に記載のフェムトセルトランシーバデバイス。
【請求項２２】
前記第２のメッセージは、前記ＨＮＢ−ＧＷがＰＵＡメッセージをサポートできることを示す１つまたは複数のパラメータを備える、請求項１７に記載のフェムトセルトランシーバデバイス。
【請求項２３】
前記１つまたは複数のプロセッサは、前記ＨＮＢ−ＧＷがＰＵＡメッセージをサポートできるかどうかを示す前記１つまたは複数のパラメータに少なくとも部分的に基づいて、前記ＨＮＢ−ＧＷへのＰＵＡメッセージの送信の始動を開始することをさらに行うためのものである、請求項２２に記載のフェムトセルトランシーバデバイス。
【請求項２４】
前記第２のメッセージが、１つまたは複数の測位動作のサポートを示すための、予約済み国際モバイル加入者識別情報（ＩＭＳＩ）または予約済み国際モバイル機器識別情報（ＩＭＥＩ）値をさらに備える、請求項２２に記載のフェムトセルトランシーバデバイス。
【請求項２５】
前記１つまたは複数の測位動作のうちの少なくとも１つが、ロケーション推定値の算出を備える、請求項２４に記載のフェムトセルトランシーバ。
【請求項２６】
前記１つまたは複数の測位動作のうちの少なくとも１つが、測位支援データを与えることを備える、請求項２４に記載のフェムトセルトランシーバ。
【請求項２７】
前記１つまたは複数のプロセッサが、前記ネットワークアダプタを通した前記ＨＮＢ−ＧＷへの、前記ＩＭＳＩまたはＩＭＥＩ値を含むＰＣＡＰ位置計算要求メッセージ送信を開始することをさらに行うためのものである、請求項２４に記載のフェムトセルトランシーバ。
【請求項２８】
前記１つまたは複数のプロセッサが、前記ネットワークアダプタを通した前記ＨＮＢ−ＧＷへの、前記ＩＭＳＩまたはＩＭＥＩ値を含むＰＣＡＰ情報交換開始要求メッセージの送信を開始することをさらに行うためのものである、請求項２４に記載のフェムトセルトランシーバ。
【請求項２９】
前記１つまたは複数のプロセッサが、前記ネットワークアダプタを通した前記ＨＮＢ−ＧＷへの、前記ＩＭＳＩまたはＩＭＥＩ値を含むＰＣＡＰ位置開始要求メッセージの送信を開始することをさらに行うためのものである、請求項２４に記載のフェムトセルトランシーバ。
【請求項３０】
ホームノードＢ（ＨＮＢ）デバイスとして構成されたフェムトセルトランシーバデバイスであって、
ポジショニング計算アプリケーションパート（ＰＣＡＰ）ユーザ適応（ＰＵＡ）を介したＰＣＡＰトランスポートのサポートを要求する１つまたは複数のパラメータを備える第１のメッセージをＨＮＢゲートウェイ（ＨＮＢ−ＧＷ）に送信するための手段と、
前記第１のメッセージに応答した前記ＨＮＢ  ＧＷからの、前記ＨＮＢ−ＧＷがＰＵＡメッセージをサポートすることが可能であるかどうかを示す第２のメッセージを受信するための手段と
を備える、フェムトセルトランシーバデバイス。
【請求項３１】
ポジショニング計算アプリケーションパート（ＰＣＡＰ）ユーザ適応（ＰＵＡ）を介したＰＣＡＰトランスポートのサポートを要求する１つまたは複数のパラメータを備える第１のメッセージの、ホームノードＢ（ＨＮＢ）ゲートウェイ（ＨＮＢ−ＧＷ）への送信を開始することと、
前記第１のメッセージに応答した前記ＨＮＢ  ＧＷからの受信された、前記ＨＮＢ−ＧＷがＰＵＡメッセージをサポートすることが可能であるかどうかを示す第２のメッセージを取得することと
を行うための、ＨＮＢとして構成されたフェムトセルトランシーバデバイスの専用算出装置によって実行可能である、その上に記憶された機械可読命令を備える非一時的記憶媒体。
【請求項３２】
ホームノードＢゲートウェイ（ＨＮＢ−ＧＷ）におけるを備える方法であって、
ホームノードＢ（ＨＮＢ）デバイスからの、ポジショニング計算アプリケーションパート（ＰＣＡＰ）ユーザ適応（ＰＵＡ）を介したＰＣＡＰトランスポートのサポートを要求する１つまたは複数のパラメータを備える第１のメッセージを受信することと、
前記第１のメッセージに応答して、前記ＨＮＢ−ＧＷがＰＵＡメッセージをサポートすることが可能であるかどうかを示す１つまたは複数のパラメータを備える第２のメッセージを前記ＨＮＢデバイスに送信することと
を備える、方法。
【請求項３３】
前記ＨＮＢ−ＧＷがＰＵＡメッセージをサポートできるかどうかを示す前記１つまたは複数のパラメータが、ＨＮＢ−ＧＷ  ＰＵＡサポートインジケータを備える、請求項３２に記載の方法。
【請求項３４】
前記ＨＮＢ−ＧＷがＰＵＡメッセージをサポートできるかどうかを示す前記１つまたは複数のパラメータに少なくとも部分的に基づいて、前記ＨＮＢデバイスからＰＵＡメッセージを受信することをさらに備える、請求項３２に記載の方法。
【請求項３５】
前記第２のメッセージが、１つまたは複数の測位動作をサポートする前記ＨＮＢによって使用されるべき、予約済み国際モバイル加入者識別情報（ＩＭＳＩ）値または予約済み国際モバイル機器識別情報（ＩＭＥＩ）値をさらに備える、請求項３２に記載の方法。
【請求項３６】
前記１つまたは複数の測位動作のうちの少なくとも１つが、ロケーション推定値の算出を備える、請求項３５に記載の方法。
【請求項３７】
前記１つまたは複数の測位動作のうちの少なくとも１つが、測位支援データを与えることを備える、請求項３５に記載の方法。
【請求項３８】
前記予約済みＩＭＳＩまたはＩＭＥＩ値を含むＰＣＡＰ位置計算要求メッセージを前記ＨＮＢデバイスから受信することをさらに備える、請求項３５に記載の方法。
【請求項３９】
前記予約済みＩＭＳＩまたはＩＭＥＩ値を含むＰＣＡＰ情報交換開始要求メッセージを前記ＨＮＢデバイスから受信することをさらに備える、請求項３５に記載の方法。
【請求項４０】
前記予約済みＩＭＳＩまたはＩＭＥＩ値を含むＰＣＡＰ位置開始要求メッセージを前記ＨＮＢデバイスから受信することをさらに備える、請求項３５に記載の方法。
【請求項４１】
前記第１のメッセージが、ホームノードＢアプリケーションパート（ＨＮＢＡＰ）ＨＮＢ登録要求メッセージを備える、請求項３２に記載の方法。
【請求項４２】
前記第２のメッセージが、ＨＮＢＡＰ  ＨＮＢ登録受付メッセージを備える、請求項３２に記載の方法。
【請求項４３】
ホームノードＢゲートウェイ（ＨＮＢ−ＧＷ）デバイスであって、
データ通信ネットワークにメッセージを送信し、そこからメッセージを受信するためのネットワークアダプタと、
ホームノードＢ（ＨＮＢ）デバイスからの前記ネットワークアダプタにおいて受信された、ポジショニング計算アプリケーションパート（ＰＣＡＰ）ユーザ適応（ＰＵＡ）を介したＰＣＡＰトランスポートのサポートを要求する１つまたは複数のパラメータを備える第１のメッセージを取得することと、
前記第１のメッセージに応答して、前記ネットワークアダプタを通した前記ＨＮＢデバイスへの、前記ＨＮＢ−ＧＷがＰＵＡメッセージをサポートすることが可能であるかどうかを示す１つまたは複数のパラメータを備える第２のメッセージの送信を開始することと
を行うための１つまたは複数のプロセッサと
を備える、ＨＮＢ−ＧＷデバイス。
【請求項４４】
前記ＨＮＢ−ＧＷがＰＵＡメッセージをサポートできるかどうかを示す前記１つまたは複数のパラメータが、ＨＮＢ−ＧＷ  ＰＵＡサポートインジケータを備える、請求項４３に記載のＨＮＢ−ＧＷデバイス。
【請求項４５】
前記１つまたはプロセッサは、前記ＨＮＢ−ＧＷがＰＵＡメッセージをサポートできるかどうかを示す前記１つまたは複数のパラメータに少なくとも部分的に基づいて、前記ＨＮＢデバイスからの前記ネットワークアダプタにおいて受信されたＰＵＡメッセージを取得することをさらに行うためのものである、請求項４３に記載のＨＮＢ−ＧＷデバイス。
【請求項４６】
前記第２のメッセージが、１つまたは複数の測位動作をサポートする前記ＨＮＢによって使用されるべき、予約済み国際モバイル加入者識別情報（ＩＭＳＩ）値または予約済み国際モバイル機器識別情報（ＩＭＥＩ）値をさらに備える、請求項４３に記載のＨＮＢ−ＧＷデバイス。
【請求項４７】
前記１つまたは複数の測位動作のうちの少なくとも１つが、ロケーション推定値の算出を備える、請求項４６に記載のＨＮＢ−ＧＷデバイス。
【請求項４８】
前記１つまたは複数の測位動作のうちの少なくとも１つが、測位支援データを与えることを備える、請求項４６に記載のＨＮＢ−ＧＷデバイス。
【請求項４９】
前記１つまたは複数のプロセッサが、前記ＨＮＢデバイスからの前記ネットワークアダプタにおいて受信された、前記予約済みＩＭＳＩまたはＩＭＥＩ値を含むＰＣＡＰ位置計算要求メッセージを取得することをさらに行うためのものである、請求項４６に記載のＨＮＢ−ＧＷデバイス。
【請求項５０】
前記１つまたは複数のプロセッサが、前記ＨＮＢデバイスからの前記ネットワークアダプタにおいて受信された、前記予約済みＩＭＳＩまたはＩＭＥＩ値を含むＰＣＡＰ情報交換開始要求メッセージを取得することをさらに行うためのものである、請求項４６に記載のＨＮＢ−ＧＷデバイス。
【請求項５１】
前記１つまたは複数のプロセッサが、前記ＨＮＢデバイスからの、前記予約済みＩＭＳＩまたはＩＭＥＩ値を含むＰＣＡＰ位置開始要求メッセージを取得することをさらに行うためのものであり、それを受信することをさらに備える、請求項４６に記載のＨＮＢ−ＧＷデバイス。
【請求項５２】
ホームノードＢゲートウェイ（ＨＮＢ−ＧＷ）デバイスであって、
ポジショニング計算アプリケーションパート（ＰＣＡＰ）ユーザ適応（ＰＵＡ）を介したＰＣＡＰトランスポートのサポートを要求する１つまたは複数のパラメータを備える第１のメッセージを、ホームノードＢ（ＨＮＢ）デバイスから受信するための手段と、
前記第１のメッセージに応答して、前記ＨＮＢ−ＧＷがＰＵＡメッセージをサポートすることが可能であるかどうかを示す１つまたは複数のパラメータを備える第２のメッセージを、前記ＨＮＢデバイスに送信するための手段と
を備える、ＨＮＢ−ＧＷデバイス。
【請求項５３】
ホームノードＢ（ＨＮＢ）デバイスから受信した、ポジショニング計算アプリケーションパート（ＰＣＡＰ）ユーザ適応（ＰＵＡ）を介したＰＣＡＰトランスポートのサポートを要求する１つまたは複数のパラメータを備える第１のメッセージを取得することと、
前記第１のメッセージに応答して、ホームノードＢゲートウェイ（ＨＮＢ−ＧＷ）がＰＵＡメッセージをサポートすることが可能であるかどうかを示す１つまたは複数のパラメータを備える第２のメッセージの、前記ＨＮＢデバイスへの送信を開始することと
を行うための、ＨＮＢ−ＧＷの１つまたは複数のプロセッサによって実行可能である、その上に記憶された機械可読命令を備える非一時的記憶媒体。
【請求項５４】
前記第１のメッセージにおける前記１つまたは複数のパラメータのうちの１つは、前記ＨＮＢデバイスがＰＵＡをサポートしてＨＮＢ−ＧＷのＰＵＡ能力を要求し、前記要求されたＰＵＡ能力を前記ＨＮＢ−ＧＷがサポートするかどうかを示すパラメータをそれに応じて受信することを識別するものである、請求項１に記載の方法。
【請求項５５】
前記第１のメッセージにおける前記１つまたは複数のパラメータのうちの１つは、前記ＨＮＢデバイスがＰＵＡをサポートしてＨＮＢ−ＧＷのＰＵＡ能力を要求し、前記要求されたＰＵＡ能力を前記ＨＮＢ−ＧＷがサポートするかどうかを示すパラメータをそれに応じて受信することを識別するものである、請求項１７に記載のトランシーバ。
【請求項５６】
前記第１のメッセージにおける前記１つまたは複数のパラメータのうちの１つは、前記ＨＮＢデバイスがＰＵＡをサポートしてＨＮＢ−ＧＷのＰＵＡ能力を要求し、前記要求されたＰＵＡ能力を前記ＨＮＢ−ＧＷがサポートするかどうかを示すパラメータをそれに応じて受信することを識別するものである、請求項３０に記載のフェムトトランシーバデバイス。
【請求項５７】
前記第１のメッセージにおける前記１つまたは複数のパラメータのうちの１つは、前記ＨＮＢデバイスがＰＵＡをサポートしてＨＮＢ−ＧＷのＰＵＡ能力を要求し、前記要求されたＰＵＡ能力を前記ＨＮＢ−ＧＷがサポートするかどうかを示すパラメータをそれに応じて受信することを識別するものである、請求項３１に記載の非一時的記憶媒体。
【手続補正２】
【補正対象書類名】明細書
【補正対象項目名】００６６
【補正方法】変更
【補正の内容】
【００６６】
[00074]  現在例示的な特徴と考えられることについて例示し説明したが、請求する主題から逸脱することなく、様々な他の変形が為され得、均等物が代用され得ることが、当業者には理解されよう。さらに、本明細書で説明した中心概念から逸脱することなく、請求する主題の教示に特定の状況を適合させるために多くの変形を為し得る。従って、請求する主題は、開示された特定の例に限定されず、そのような請求する主題はまた、添付の特許請求の範囲内に入る全ての態様とそれらの均等物とを含み得るものとする。
以下に、本願出願の当初の特許請求の範囲に記載された発明を付記する。
［Ｃ１］
ホームノードＢ（ＨＮＢ）を備えるフェムトセルトランシーバデバイスにおける方法であって、
ポジショニング計算アプリケーションパート（ＰＣＡＰ）ユーザ適応（ＰＵＡ）を介したＰＣＡＰトランスポートのサポートを要求する１つまたは複数のパラメータを備える第１のメッセージをＨＮＢゲートウェイ（ＨＮＢ−ＧＷ）に送信することと、
前記第１のメッセージに応答した前記ＨＮＢ  ＧＷからの、前記ＨＮＢ−ＧＷがＰＵＡメッセージをサポートすることが可能であるかどうかを示す第２のメッセージを受信することと
を備える、方法。
［Ｃ２］
前記第２のメッセージは、前記ＨＮＢ−ＧＷがＰＵＡメッセージをサポートしないことを示す、Ｃ１に記載の方法。
［Ｃ３］
前記第２のメッセージが、ＰＵＡサポートに関係するパラメータを備えない、Ｃ２に記載の方法。
［Ｃ４］
前記第１のメッセージが、ホームノードＢアプリケーションパート（ＨＮＢＡＰ）ＨＮＢ登録要求メッセージを備える、Ｃ１に記載の方法。
［Ｃ５］
前記第２のメッセージが、ＨＮＢＡＰ  ＨＮＢ登録受付メッセージを備える、Ｃ１に記載の方法。
［Ｃ６］
前記第２のメッセージは、前記ＨＮＢ−ＧＷがＰＵＡメッセージをサポートすることが可能であることを示す１つまたは複数のパラメータを備える、Ｃ１に記載の方法。
［Ｃ７］
前記ＨＮＢ−ＧＷがＰＵＡメッセージをサポートすることが可能であることを示す前記１つまたは複数のパラメータに少なくとも部分的に基づいて、前記ＨＮＢ−ＧＷにＰＵＡメッセージを送信することを始動することをさらに備える、Ｃ６に記載の方法。
［Ｃ８］
前記ＨＮＢＡＰ  ＨＮＢ登録受付メッセージが、利用可能なロケーションサーバを示す１つまたは複数のパラメータをさらに備える、Ｃ５に記載の方法。
［Ｃ９］
前記利用可能なロケーションサーバを示す前記１つまたは複数のパラメータが、サーバ識別情報と、各サーバによってサポートされる測位方法のリストとを備える、Ｃ８に記載の方法。
［Ｃ１０］
前記ＨＮＢＡＰ  ＨＮＢ登録受付メッセージが、少なくとも１つの測位動作において前記ＨＮＢによって使用されるべき、予約済み国際モバイル加入者識別情報（ＩＭＳＩ）値または予約済み国際モバイル機器識別情報（ＩＭＥＩ）値をさらに備える、Ｃ５に記載の方法。
［Ｃ１１］
前記少なくとも１つの測位動作が、ユーザ機器デバイスのためのロケーション推定値の決定を備える、Ｃ１０に記載の方法。
［Ｃ１２］
前記少なくとも１つの測位動作が、前記ＨＮＢのためのロケーション推定値の決定を備える、Ｃ１０に記載の方法。
［Ｃ１３］
前記少なくとも１つの測位動作が、測位支援データを与えることを備える、Ｃ１０に記載の方法。
［Ｃ１４］
前記予約済みＩＭＳＩまたはＩＭＥＩ値を含むＰＣＡＰ位置計算要求メッセージを前記ＨＮＢ−ＧＷに送信することをさらに備える、Ｃ１０に記載の方法。
［Ｃ１５］
前記予約済みＩＭＳＩまたはＩＭＥＩ値を含むＰＣＡＰ情報交換開始要求メッセージを前記ＨＮＢ−ＧＷに送信することをさらに備える、Ｃ１０に記載の方法。
［Ｃ１６］
前記予約済みＩＭＳＩまたはＩＭＥＩ値を含むＰＣＡＰ位置開始要求メッセージを前記ＨＮＢ−ＧＷに送信することをさらに備える、Ｃ１０に記載の方法。
［Ｃ１７］
ホームノードＢ（ＨＮＢ）デバイスとして構成されたフェムトセルトランシーバデバイスであって、
データ通信ネットワークにメッセージを送信し、そこからメッセージを受信するためのネットワークアダプタと、
ポジショニング計算アプリケーションパート（ＰＣＡＰ）ユーザ適応（ＰＵＡ）を介したＰＣＡＰトランスポートのサポートを要求する１つまたは複数のパラメータを備える第１のメッセージのＨＮＢゲートウェイ（ＨＮＢ−ＧＷ）への送信を開始することと、
前記第１のメッセージに応答した前記ＨＮＢ  ＧＷからの前記ネットワークアダプタにおいて受信された、前記ＨＮＢ−ＧＷがＰＵＡメッセージをサポートすることが可能であるかどうかを示す第２のメッセージを取得することと
を行うための１つまたは複数のプロセッサと
を備える、フェムトセルトランシーバデバイス。
［Ｃ１８］
前記第２のメッセージは、前記ＨＮＢ−ＧＷがＰＵＡメッセージをサポートしないことを示す、Ｃ１７に記載のフェムトセルトランシーバデバイス。
［Ｃ１９］
前記第２のメッセージが、ＰＵＡサポートに関係するパラメータを備えない、Ｃ１８に記載のフェムトセルトランシーバデバイス。
［Ｃ２０］
前記第１のメッセージが、ホームノードＢアプリケーションパート（ＨＮＢＡＰ）ＨＮＢ登録要求メッセージを備える、Ｃ１７に記載のフェムトセルトランシーバデバイス。
［Ｃ２１］
前記第２のメッセージが、ＨＮＢＡＰ  ＨＮＢ登録受付メッセージを備える、Ｃ１７に記載のフェムトセルトランシーバデバイス。
［Ｃ２２］
前記第２のメッセージは、前記ＨＮＢ−ＧＷがＰＵＡメッセージをサポートできることを示す１つまたは複数のパラメータを備える、Ｃ１７に記載のフェムトセルトランシーバデバイス。
［Ｃ２３］
前記１つまたは複数のプロセッサは、前記ＨＮＢ−ＧＷがＰＵＡメッセージをサポートできるかどうかを示す前記１つまたは複数のパラメータに少なくとも部分的に基づいて、前記ＨＮＢ−ＧＷへのＰＵＡメッセージの送信の始動を開始することをさらに行うためのものである、Ｃ２２に記載のフェムトセルトランシーバデバイス。
［Ｃ２４］
前記第２のメッセージが、１つまたは複数の測位動作のサポートを示すための、予約済み国際モバイル加入者識別情報（ＩＭＳＩ）または予約済み国際モバイル機器識別情報（ＩＭＥＩ）値をさらに備える、Ｃ２２に記載のフェムトセルトランシーバデバイス。
［Ｃ２５］
前記１つまたは複数の測位動作のうちの少なくとも１つが、ロケーション推定値の算出を備える、Ｃ２４に記載のフェムトセルトランシーバ。
［Ｃ２６］
前記１つまたは複数の測位動作のうちの少なくとも１つが、測位支援データを与えることを備える、Ｃ２４に記載のフェムトセルトランシーバ。
［Ｃ２７］
前記１つまたは複数のプロセッサが、前記ネットワークアダプタを通した前記ＨＮＢ−ＧＷへの、前記ＩＭＳＩまたはＩＭＥＩ値を含むＰＣＡＰ位置計算要求メッセージ送信を開始することをさらに行うためのものである、Ｃ２４に記載のフェムトセルトランシーバ。
［Ｃ２８］
前記１つまたは複数のプロセッサが、前記ネットワークアダプタを通した前記ＨＮＢ−ＧＷへの、前記ＩＭＳＩまたはＩＭＥＩ値を含むＰＣＡＰ情報交換開始要求メッセージの送信を開始することをさらに行うためのものである、Ｃ２４に記載のフェムトセルトランシーバ。
［Ｃ２９］
前記１つまたは複数のプロセッサが、前記ネットワークアダプタを通した前記ＨＮＢ−ＧＷへの、前記ＩＭＳＩまたはＩＭＥＩ値を含むＰＣＡＰ位置開始要求メッセージの送信を開始することをさらに行うためのものである、Ｃ２４に記載のフェムトセルトランシーバ。
［Ｃ３０］
ホームノードＢ（ＨＮＢ）デバイスとして構成されたフェムトセルトランシーバデバイスであって、
ポジショニング計算アプリケーションパート（ＰＣＡＰ）ユーザ適応（ＰＵＡ）を介したＰＣＡＰトランスポートのサポートを要求する１つまたは複数のパラメータを備える第１のメッセージをＨＮＢゲートウェイ（ＨＮＢ−ＧＷ）に送信するための手段と、
前記第１のメッセージに応答した前記ＨＮＢ  ＧＷからの、前記ＨＮＢ−ＧＷがＰＵＡメッセージをサポートすることが可能であるかどうかを示す第２のメッセージを受信するための手段と
を備える、フェムトセルトランシーバデバイス。
［Ｃ３１］
ポジショニング計算アプリケーションパート（ＰＣＡＰ）ユーザ適応（ＰＵＡ）を介したＰＣＡＰトランスポートのサポートを要求する１つまたは複数のパラメータを備える第１のメッセージの、ホームノードＢ（ＨＮＢ）ゲートウェイ（ＨＮＢ−ＧＷ）への送信を開始することと、
前記第１のメッセージに応答した前記ＨＮＢ  ＧＷからの受信された、前記ＨＮＢ−ＧＷがＰＵＡメッセージをサポートすることが可能であるかどうかを示す第２のメッセージを取得することと
を行うための、ＨＮＢとして構成されたフェムトセルトランシーバデバイスの専用算出装置によって実行可能である、その上に記憶された機械可読命令を備える非一時的記憶媒体。
［Ｃ３２］
ホームノードＢゲートウェイ（ＨＮＢ−ＧＷ）におけるを備える方法であって、
ホームノードＢ（ＨＮＢ）デバイスからの、ポジショニング計算アプリケーションパート（ＰＣＡＰ）ユーザ適応（ＰＵＡ）を介したＰＣＡＰトランスポートのサポートを要求する１つまたは複数のパラメータを備える第１のメッセージを受信することと、
前記第１のメッセージに応答して、前記ＨＮＢ−ＧＷがＰＵＡメッセージをサポートすることが可能であるかどうかを示す１つまたは複数のパラメータを備える第２のメッセージを前記ＨＮＢデバイスに送信することと
を備える、方法。
［Ｃ３３］
前記ＨＮＢ−ＧＷがＰＵＡメッセージをサポートできるかどうかを示す前記１つまたは複数のパラメータが、ＨＮＢ−ＧＷ  ＰＵＡサポートインジケータを備える、Ｃ３２に記載の方法。
［Ｃ３４］
前記ＨＮＢ−ＧＷがＰＵＡメッセージをサポートできるかどうかを示す前記１つまたは複数のパラメータに少なくとも部分的に基づいて、前記ＨＮＢデバイスからＰＵＡメッセージを受信することをさらに備える、Ｃ３２に記載の方法。
［Ｃ３５］
前記第２のメッセージが、１つまたは複数の測位動作をサポートする前記ＨＮＢによって使用されるべき、予約済み国際モバイル加入者識別情報（ＩＭＳＩ）値または予約済み国際モバイル機器識別情報（ＩＭＥＩ）値をさらに備える、Ｃ３２に記載の方法。
［Ｃ３６］
前記１つまたは複数の測位動作のうちの少なくとも１つが、ロケーション推定値の算出を備える、Ｃ３５に記載の方法。
［Ｃ３７］
前記１つまたは複数の測位動作のうちの少なくとも１つが、測位支援データを与えることを備える、Ｃ３５に記載の方法。
［Ｃ３８］
前記予約済みＩＭＳＩまたはＩＭＥＩ値を含むＰＣＡＰ位置計算要求メッセージを前記ＨＮＢデバイスから受信することをさらに備える、Ｃ３５に記載の方法。
［Ｃ３９］
前記予約済みＩＭＳＩまたはＩＭＥＩ値を含むＰＣＡＰ情報交換開始要求メッセージを前記ＨＮＢデバイスから受信することをさらに備える、Ｃ３５に記載の方法。
［Ｃ４０］
前記予約済みＩＭＳＩまたはＩＭＥＩ値を含むＰＣＡＰ位置開始要求メッセージを前記ＨＮＢデバイスから受信することをさらに備える、Ｃ３５に記載の方法。
［Ｃ４１］
前記第１のメッセージが、ホームノードＢアプリケーションパート（ＨＮＢＡＰ）ＨＮＢ登録要求メッセージを備える、Ｃ３２に記載の方法。
［Ｃ４２］
前記第２のメッセージが、ＨＮＢＡＰ  ＨＮＢ登録受付メッセージを備える、Ｃ３２に記載の方法。
［Ｃ４３］
ホームノードＢゲートウェイ（ＨＮＢ−ＧＷ）デバイスであって、
データ通信ネットワークにメッセージを送信し、そこからメッセージを受信するためのネットワークアダプタと、
ホームノードＢ（ＨＮＢ）デバイスからの前記ネットワークアダプタにおいて受信された、ポジショニング計算アプリケーションパート（ＰＣＡＰ）ユーザ適応（ＰＵＡ）を介したＰＣＡＰトランスポートのサポートを要求する１つまたは複数のパラメータを備える第１のメッセージを取得することと、
前記第１のメッセージに応答して、前記ネットワークアダプタを通した前記ＨＮＢデバイスへの、前記ＨＮＢ−ＧＷがＰＵＡメッセージをサポートすることが可能であるかどうかを示す１つまたは複数のパラメータを備える第２のメッセージの送信を開始することと
を行うための１つまたは複数のプロセッサと
を備える、ＨＮＢ−ＧＷデバイス。
［Ｃ４４］
前記ＨＮＢ−ＧＷがＰＵＡメッセージをサポートできるかどうかを示す前記１つまたは複数のパラメータが、ＨＮＢ−ＧＷ  ＰＵＡサポートインジケータを備える、Ｃ４３に記載のＨＮＢ−ＧＷデバイス。
［Ｃ４５］
前記１つまたはプロセッサは、前記ＨＮＢ−ＧＷがＰＵＡメッセージをサポートできるかどうかを示す前記１つまたは複数のパラメータに少なくとも部分的に基づいて、前記ＨＮＢデバイスからの前記ネットワークアダプタにおいて受信されたＰＵＡメッセージを取得することをさらに行うためのものである、Ｃ４３に記載のＨＮＢ−ＧＷデバイス。
［Ｃ４６］
前記第２のメッセージが、１つまたは複数の測位動作をサポートする前記ＨＮＢによって使用されるべき、予約済み国際モバイル加入者識別情報（ＩＭＳＩ）値または予約済み国際モバイル機器識別情報（ＩＭＥＩ）値をさらに備える、Ｃ４３に記載のＨＮＢ−ＧＷデバイス。
［Ｃ４７］
前記１つまたは複数の測位動作のうちの少なくとも１つが、ロケーション推定値の算出を備える、Ｃ４６に記載のＨＮＢ−ＧＷデバイス。
［Ｃ４８］
前記１つまたは複数の測位動作のうちの少なくとも１つが、測位支援データを与えることを備える、Ｃ４６に記載のＨＮＢ−ＧＷデバイス。
［Ｃ４９］
前記１つまたは複数のプロセッサが、前記ＨＮＢデバイスからの前記ネットワークアダプタにおいて受信された、前記予約済みＩＭＳＩまたはＩＭＥＩ値を含むＰＣＡＰ位置計算要求メッセージを取得することをさらに行うためのものである、Ｃ４６に記載のＨＮＢ−ＧＷデバイス。
［Ｃ５０］
前記１つまたは複数のプロセッサが、前記ＨＮＢデバイスからの前記ネットワークアダプタにおいて受信された、前記予約済みＩＭＳＩまたはＩＭＥＩ値を含むＰＣＡＰ情報交換開始要求メッセージを取得することをさらに行うためのものである、Ｃ４６に記載のＨＮＢ−ＧＷデバイス。
［Ｃ５１］
前記１つまたは複数のプロセッサが、前記ＨＮＢデバイスからの、前記予約済みＩＭＳＩまたはＩＭＥＩ値を含むＰＣＡＰ位置開始要求メッセージを取得することをさらに行うためのものであり、それを受信することをさらに備える、Ｃ４６に記載のＨＮＢ−ＧＷデバイス。
［Ｃ５２］
ホームノードＢゲートウェイ（ＨＮＢ−ＧＷ）デバイスであって、
ポジショニング計算アプリケーションパート（ＰＣＡＰ）ユーザ適応（ＰＵＡ）を介したＰＣＡＰトランスポートのサポートを要求する１つまたは複数のパラメータを備える第１のメッセージを、ホームノードＢ（ＨＮＢ）デバイスから受信するための手段と、
前記第１のメッセージに応答して、前記ＨＮＢ−ＧＷがＰＵＡメッセージをサポートすることが可能であるかどうかを示す１つまたは複数のパラメータを備える第２のメッセージを、前記ＨＮＢデバイスに送信するための手段と
を備える、ＨＮＢ−ＧＷデバイス。
［Ｃ５３］
ホームノードＢ（ＨＮＢ）デバイスから受信した、ポジショニング計算アプリケーションパート（ＰＣＡＰ）ユーザ適応（ＰＵＡ）を介したＰＣＡＰトランスポートのサポートを要求する１つまたは複数のパラメータを備える第１のメッセージを取得することと、
前記第１のメッセージに応答して、ホームノードＢゲートウェイ（ＨＮＢ−ＧＷ）がＰＵＡメッセージをサポートすることが可能であるかどうかを示す１つまたは複数のパラメータを備える第２のメッセージの、前記ＨＮＢデバイスへの送信を開始することと
を行うための、ＨＮＢ−ＧＷの１つまたは複数のプロセッサによって実行可能である、その上に記憶された機械可読命令を備える非一時的記憶媒体。
【国際調査報告】
2017510152.tif 000011
2017510152.tif 000012